(57)【要約】  本開示は、ユーザ機器（ＵＥ）（７００）であって、ＵＥ（７００）と無線アクセスネットワーク（ＲＡＮ）との間で無線リソース制御（ＲＲＣ）メッセージを送受信するように構成されている送受信機（７０１）と、非輻輳状況がＲＡＮにより示される場合、ＲＲＣメッセージの第１シーケンス（３２８）の処理に応じるＵＥ（７００）の動作モードをアクティブ化するように構成されている無線リソース制御装置（７０２）とを備え、無線リソース制御装置（７０２）は、特殊状況、特にエネルギーの消費を低減するための輻輳状況または省電力状況がＲＡＮにより示される場合、ＲＲＣメッセージの第２シーケンス（５２５、６２５）の処理に応じるＵＥ（７００）の動作モードをアクティブ化するように構成され、ＲＲＣメッセージの第２シーケンス（５２５、６２５）の処理に対するレイテンシは、ＲＲＣメッセージの第１シーケンス（３２８）を処理するためのレイテンシより少ない、ユーザ機器（ＵＥ）に関する。
2020504576.tif 000002
【特許請求の範囲】
【請求項１】
ユーザ機器（ＵＥ）（７００）であって、
前記ＵＥ（７００）と無線アクセスネットワーク（ＲＡＮ）との間で無線リソース制御（ＲＲＣ）メッセージを送受信するように構成されている送受信機（７０１）と、
非輻輳状況が前記ＲＡＮにより示される場合、ＲＲＣメッセージの第１シーケンス（３２８）の処理に応じる前記ＵＥ（７００）の動作モードをアクティブ化するように構成されている無線リソース制御装置（７０２）と
を備え、
前記無線リソース制御装置（７０２）は、特殊状況、特に輻輳状況または省電力状況が前記ＲＡＮにより示される場合、ＲＲＣメッセージの第２シーケンス（５２５、６２５）の処理に応じる前記ＵＥ（７００）の前記動作モードをアクティブ化するように構成され、
ＲＲＣメッセージの前記第２シーケンス（５２５、６２５）の処理に対するレイテンシは、ＲＲＣメッセージの前記第１シーケンス（３２８）を処理するためのレイテンシより低い、
ユーザ機器（ＵＥ）。
【請求項２】
ＲＲＣメッセージの前記第１シーケンス（３２８）を処理することは、ページングメッセージング（３２４）、ランダムアクセス（ＲＡ）メッセージング（３１５、３２５）、ＲＲＣメッセージング（３１６、３２７、３１７）およびＲＡＮコンテキストフェッチング（３２６）を含み、
ＲＲＣメッセージの前記第２シーケンス（５２５、６２５）を処理することは、ＲＲＣメッセージング（５２３、５１７、６１９）およびＲＡＮコンテキストフェッチング（５２２）を含む、請求項１に記載のＵＥ（７００）。
【請求項３】
前記無線リソース制御装置（７０２）は、前記ＵＥ（７００）の前記動作モードをアクティブ化するためのレイテンシを低減させるべく、ＲＲＣメッセージの前記第２シーケンス（５２５、６２５）を処理する場合、ページングメッセージング（３２４）およびＲＡメッセージング（３１５、３２５）を省略するように構成されている
請求項１または２に記載のＵＥ（７００）。
【請求項４】
前記ＵＥ（７００）の前記動作モードは、前記ＵＥ（７００）を前記ＲＡＮにアタッチすることにより、特にＲＲＣ接続非アクティブモード（１３０、４３０）からＲＲＣ接続モード（１２０、４２０）への前記ＵＥ（７００）の状態変化によりアクティブ化される、
上述の請求項の一項に記載のＵＥ（７００）。
【請求項５】
前記無線リソース制御装置（７０２）は、輻輳状況または省電力状況が前記ＲＡＮにより示される場合、前記ＲＲＣ接続モード（４２０）と前記ＲＲＣ接続非アクティブモード（４３０）との間の周期的な遷移をアクティブ化するように構成されている、
請求項４に記載のＵＥ（７００）。
【請求項６】
前記無線リソース制御装置（７０２）は、輻輳状況または省電力状況が前記ＲＡＮにより示される場合、無線ベアラ、特に少なくとも１つの静的無線ベアラ（ＳＲＢ）および／または少なくとも１つの動的無線ベアラ（ＤＲＢ）を周期的にアクティブ化および解放するように構成されている、
請求項４または５に記載のＵＥ（７００）。
【請求項７】
前記送受信機（７０１）は、特にバッファステータス報告（ＢＳＲ）情報およびタイミングアドバンス情報を含む測定報告をＲＲＣ接続モード（４２０）の前記ＲＡＮに送信し、前記ＲＡＮが前記測定報告に基づいてＲＡＮコンテキスト（５２１）を更新することを可能にするように構成されている、
請求項４から６の一項に記載のＵＥ（７００）。
【請求項８】
前記無線リソース制御装置（７０２）は、ステートマシン（４００）に基づいて前記ＵＥ（７００）の前記動作モードを変更するように構成され、前記ステートマシン（４００）は、ＲＲＣメッセージの前記第２シーケンスの前記処理（５２５、６２５）と関連付けられる半永続（ＳＰＳ）ＲＲＣモード（４４０）、およびＲＲＣメッセージの前記第１シーケンス（３２８）の前記処理と関連付けられる通常ＲＲＣモード（１００）を含む、
上述の請求項の一項に記載のＵＥ（７００）。
【請求項９】
前記無線リソース制御装置（７０２）は、輻輳状況または省電力状況が前記ＲＡＮにより示される場合、前記ＳＰＳ  ＲＲＣモード（４４０）を周期的にアクティブ化させるように構成されている、
請求項８に記載のＵＥ（７００）。
【請求項１０】
前記無線リソース制御装置（７０２）は、第１タイマ（５４１）の第１タイマ終了イベントに応答して、前記ＵＥ（７００）の前記動作モードを、前記ＳＰＳ  ＲＲＣモード（４４０）から前記通常ＲＲＣモード（１００）に変更するように構成されている、
請求項９に記載のＵＥ（７００）。
【請求項１１】
前記第１タイマ（５４１）は、前記ＲＡＮにより設定可能である、
請求項１０に記載のＵＥ（７００）。
【請求項１２】
前記無線リソース制御装置（７０２）は、前記ＵＥ（７００）が前記ＳＰＳ  ＲＲＣモード（４４０）にある場合、前記ＵＥ（７００）の前記動作モードが、ＲＲＣ接続モード（４２０）からＲＲＣ接続非アクティブモード（４３０）へ変化することを周期的にアクティブ化するように構成されている、
請求項８から１１の一項に記載のＵＥ（７００）。
【請求項１３】
前記無線リソース制御装置（７０２）は、第２タイマ（５４２）の第２タイマ終了イベントに応答して、前記ＵＥ（７００）の前記動作モードを、前記ＲＲＣ接続非アクティブモード（４３０）から前記ＲＲＣ接続モード（４２０）に変更するように構成されている、
請求項１２に記載のＵＥ（７００）。
【請求項１４】
前記無線リソース制御装置（７０２）は、無線ベアラ（５１４）、特に少なくとも１つの静的無線ベアラ（ＳＲＢ）および／または少なくとも１つの動的無線ベアラ（ＤＲＢ）を、他のＵＥによる使用のために、前記第２タイマ（５４２）の作動中に解放するように構成されている、
請求項１３に記載のＵＥ（７００）。
【請求項１５】
前記無線リソース制御装置（７０２）は、前記第２タイマ終了イベントに応答して、前記ＲＡＮとのＲＲＣ接続を再開するために、前記ＲＡＮにＲＲＣ接続再開リクエストメッセージ（６１９）を送信するように構成されている、
請求項１３または１４に記載のＵＥ（７００）。
【請求項１６】
前記無線リソース制御装置（７０２）は、予め定義された無線リソースブロックおよび／またはグラントフリーサブキャリア多元接続（ＳＣＭＡ）に基づいて前記ＲＲＣ接続再開リクエストメッセージ（６１９）を送信するように構成されている、
請求項１５に記載のＵＥ（７００）。
【請求項１７】
無線アクセスネットワーク（ＲＡＮ）エンティティ（８００）、特に基地局（ＢＳ）であって、
ユーザ機器（ＵＥ）、特に請求項１から１６のいずれか一項に記載のＵＥ（７００）と前記ＲＡＮエンティティ（８００）との間の無線リソース制御（ＲＲＣ）メッセージを送受信するように構成されている送受信機（８０１）と、
前記ＲＡＮエンティティ（８００）の特殊状況、特に輻輳状況または省電力状況を判定するように構成されている無線リソース制御装置（８０２）と
を含み、
前記無線リソース制御装置（８０２）は、非特殊状況、特に非輻輳状況または非省電力状況を前記ＵＥ（７００）に示して、前記ＵＥ（７００）が、ＲＲＣメッセージの第１シーケンス（３２８）の処理に応じる前記ＵＥ（７００）の動作モードをアクティブ化させることを可能にするように構成され、
前記無線リソース制御装置（８０２）は、特殊状況、特に輻輳状況または省電力状況を前記ＵＥ（７００）に示して、ＲＲＣメッセージの第２シーケンス（５２５、６２５）の処理に応じる前記ＵＥ（７００）が前記ＵＥ（７００）の前記動作モードをアクティブ化させることを可能にするように構成され、
ＲＲＣメッセージの前記第２シーケンス（５２５、６２５）の処理のためのレイテンシは、ＲＲＣメッセージの前記第１シーケンス（３２８）の処理のためのレイテンシより少ない、
無線アクセスネットワーク（ＲＡＮ）エンティティ。
【請求項１８】
前記無線リソース制御装置（８０２）は、
通信が行われる無線リソースにおけるエネルギーレベルを決定することに基づいて、特にチャネルビジー率（ＣＢＲ）に基づいて前記ＵＥ（７００）のサイドリンク接続に対する前記輻輳を判定するように構成されている、請求項１７に記載のＲＡＮエンティティ（８００）。
【請求項１９】
前記無線リソース制御装置（８０２）は、
前記ＵＥ（７００）からＲＡＮコンテキスト（３２６）をフェッチし、前記ＵＥ（７００）とのＲＲＣ接続（３２６）を再開（３２７）するために前記フェッチされたＲＡＮコンテキストの情報を用いるように構成されている、請求項１７または１８に記載のＲＡＮエンティティ（８００）。
【請求項２０】
前記無線リソース制御装置（８０２）は、前記ＵＥ（７００）からＲＡＮコンテキスト（３２６）をフェッチし、前記ＲＡＮコンテキスト（３２６）により示されるリソースを他のＵＥに提供するために前記フェッチされたＲＡＮコンテキスト（３２６）の情報を用いるように構成されている、請求項１７または１８に記載のＲＡＮエンティティ（８００）。
【請求項２１】
前記無線リソース制御装置（８０２）は、
前記ＵＥ（７００）からフェッチされる前記ＲＡＮコンテキスト（３２６）の情報に基づく前記ＲＡＮにより格納されるＲＡＮコンテキスト（３２３）を更新するように構成されている、請求項１９または２０に記載のＲＡＮエンティティ（８００）。
【発明の詳細な説明】
【技術分野】
【０００１】
本開示は、無線アクセスネットワーク（ＲＡＮ）により示される輻輳または省電力状況に基づいてユーザ機器（ＵＥ）の動作モードをアクティブ化させる無線リソース制御装置（ＲＲＣ）を備えるＵＥ、およびＵＥにそのような状況を示すＲＡＮエンティティに関する。特に、本開示はＲＡＮにおける輻輳緩和、またマシンタイプ通信（ＭＴＣ）デバイス、特にＣ-Ｖ２Ｘ（ｃｅｌｌｕｌａｒ  ａｓｓｉｓｔｅｄ  ｖｅｈｉｃｌｅ‐ｔｏ‐ａｎｙｔｈｉｎｇ）の省電力のための技術に関する。
【背景技術】
【０００２】
現在の無線通信ネットワークでは、基地局（ＢＳ）によってサポートされ得る接続ユーザの数は、以下で説明される通り、様々な要素によってかなり限定される。静的無線ベアラ（ＳＲＢ）および動的無線ベアラ（ＤＲＢ）を管理するための上位層セッション管理は、Ｑｕａｌｉｔｙ  ｏｆ  Ｓｅｒｖｉｃｅ（ＱｏＳ）基準に基づいてサポートされるベアラの最大の数を含む。低位層については、帯域幅、制御チャネル容量およびデータチャネル容量が限定される。ＣＰＵリソースについては、ＴＴＩ（ｔｒａｎｓｍｉｓｓｉｏｎ  ｔｉｍｅ  ｉｎｔｅｒｖａｌ）毎の最大ＵＥ処理時間が限定される。Ｃ-Ｖ２ｘ（ｃｅｌｌｕｌａｒ  ａｓｓｉｓｔｅｄ  ｖｅｈｉｃｌｅ‐ｔｏ‐ａｎｙｔｈｉｎｇ）ネットワークにおいては、物理層におけるデータおよび制御チャネルについてＵｕリンクに輻輳があり得る。省電力モードの間に、周期的なデータ送信が周期的なデータ送信を行うＭＴＣデバイスに適用される。ＢＳがＤ２Ｄ（ｄｅｖｉｃｅ‐ｔｏ‐ｄｅｖｉｃｅ）のユーザにリソース割り当てを提供するセルラー支援型Ｖ２Ｖ（ｖｅｈｉｃｌｅ‐ｔｏ‐ｖｅｈｉｃｌｅ）接続においては、制御チャネル容量によってＵｕリンクに輻輳が起こり得て、次にモード２（ａｄ-ｈｏｃ  ｍｏｄｅ  ｗｉｔｈ  ｐｒｅ-ｄｅｆｉｎｅｄ  ａｌｌｏｃａｔｉｏｎ  ｆｒｏｍ  ｒｅｓｏｕｒｃｅ  ｐｏｏｌｓ）において接続が確立される。モード２は、ＰＣ５帯域において非常に高い干渉および／または輻輳をもたらす可能性もある。時間領域でユーザをスケジューリングすることは、データチャネルについての問題の解決につながるが、レイテンシの増加につながるであろう。したがって、時間領域でのスケジューリングは、レイテンシの影響を受けにくいトラフィックには良いと思われるが、Ｖ２ｘトラフィックのほとんどはレイテンシの影響を受けやすい。
【０００３】
ビークルツ―エニシング（Ｖ２ｘ）シナリオにおいて、多くの車線を有する高速道路の渋滞などの状況が発生し、当該状況では、低移動度または中移動度のシナリオにおいてはあまり移動しない、またはゆっくり移動する多くのＶ‐ＵＥ（ｖｅｈｉｃｕｌａｒ  ｕｓｅｒ  ｅｑｕｉｐｍｅｎｔｓ）があり、当該シナリオは、当該Ｖ‐ＵＥのほとんどが同一のセルに接続される必要があり、ＲＡＮの輻輳につながることを意味する。これらのＶ２ｘシナリオの場合、車両用ＵＥには基本的な安全メッセージの周期的な送信、およびクラウド等から情報のアップデートをダウンロードすることが必要であり、ネットワークとの接続を必要とする。
【０００４】
ＭＴＣデバイスの場合、電力および処理電力は限定されており、したがってＭＴＣデバイスのバッテリ寿命をより長い時間、例えばおよそ２０年に延長することが要求される。
【０００５】
したがって、Ｃ-Ｖ２ｘの場合には基地局における輻輳問題を解決することが必要であり、さらに、ＭＴＣシナリオにおいて周期的なデータ送信のための処理電力を節約してバッテリ寿命を延ばすも必要である。
【発明の概要】
【０００６】
本発明の目的は、モバイル通信システムにおける、特にセルラー支援型Ｖ２ｘ通信のための無線アクセスネットワークにおける上述の輻輳問題を解決する技術を提供することである。本発明の更なる目的は、ＭＴＣデバイスの処理電力を限定することによりこれらのＭＴＣデバイスのバッテリ寿命を延長する概念を提供することである。
【０００７】
この目的は、独立請求項に記載の特徴によって実現される。更なる実装形態は、従属請求項、発明を実施するための形態、および図から明らかである。
【０００８】
本発明の中心となる考えは、周期的なデータ送信に半永続または永続的な無線リソース制御（ＲＲＣ）モードを提供すること、およびＲＡＮにＵＥを再アタッチすることに係るレイテンシを低減することである。本発明を用いることによって、例えば、ページング、ランダムアクセス（ＲＡ）メッセージング、ＲＡＮコンテキストフェッチング、およびＲＲＣ（ｒａｄｉｏ  ｒｅｓｏｕｒｃｅ  ｃｏｎｔｒｏｌ）メッセージをやり取りする１．５ＲＴＴ（ｒｏｕｎｄ  ｔｒｉｐ  ｔｉｍｅ）を含む、レイテンシから、ＲＡＮコンテキストフェッチングおよびＲＲＣメッセージをやり取りする１．０ＲＴＴを含むレイテンシへの、レイテンシの低減が実現され得る。そのようなレイテンシの低減は、例えば以下に示されるように、ページング、およびＲＡメッセージを省略することにより実現され得る。しかしながら、トラフィックの量が非常に少なく、データ送信の周期的な性質を有し、フォローアップパケットを待たないＭＴＣデバイス特有の特性を考慮すると、ＲＲＣ接続状態で次のパケットを待つことは不必要なエネルギーの消費につながると予想される。
【０００９】
本開示は、この輻輳問題を解決する解決手段を提示する。次の４つの解決手段の態様は、以下に提示される。後述するように、第１解決手段の態様は、ＵＥ  ＲＲＣプロトコルに提供される半永続または永続的なタイマの助けによってネットワークにより速く再アタッチして、接続モードから接続非アクティブモードへのＵＥの周期的な遷移を行うための、基地局とＵＥとの間の無線リソース制御における新しいシグナリングおよびＵＥ挙動に関連する。後述するように、第２解決手段の態様は、格納されたＵＥコンテキスト情報からネットワークへの速いアクセスによって、ＲＡＮで制御されるＲＲＣ  ＳＰＳモードおよびＵＥで制御されるＲＲＣ  ＳＰＳモードを構成する新しい無線層メッセージに関連する。後述するように、第３解決手段の態様は、無線リソース制御における半永続的な遷移のアクティブ化、およびトラフィックパターンに基づくＢＳとＵＥとの間の遷移の周期性に関連する。後述するように、第４解決手段の態様は、ＵＥが接続モードにある場合、格納されたＲＡＮコンテキストを、測定報告から更新された情報で更新することに関連する。
【００１０】
以下で説明するように、開示されているＳＰＳ  ＲＲＣモードは重い負荷を経験しているＲＡＮにおける輻輳問題を解決でき、ネットワークに接続しクラウドからデータおよびアップデートを送信／受信したがる全てのＵＥに公平性を提供することができる。また、ＭＴＣデバイスはもはや、接続非アクティブモードにおいてページングメッセージがないかモニタリングする必要がないため、エネルギーの消費は低減される。以下に説明されるように、開示されている周期的ＲＲＣ  ＳＰＳモードは、過渡期間の間にＳＲＢ、ＤＲＢ、帯域幅、制御チャネル／データチャネルなどのリソースを利用しながら、輻輳したＵＥがネットワークにアクセスすることに役立つ。以下に説明されるように、開示されているＲＲＣモード用の半永続タイマは、軽量であり、ＵＥがＲＡＮメモリおよびトラフィックパターンで接続非アクティブモードから接続モードへより速く再アタッチすることをサポートする。トラフィックパターンは、トラフィックを待つこととページングを開始することの代わりに、ＳＰＳ  ＲＲＣ遷移を構成することで基地局により活用される。
【００１１】
ここで説明されるデバイスおよびシステムは、無線通信ネットワーク、特にＬＴＥ、特にＬＴＥ‐Ａおよび／またはＯＦＤＭおよび第５世代などのモバイル通信規格に基づく通信ネットワークにおいて実装されてよい。ここで説明されるデバイスおよびシステムは、例えばロングタームエボリューション（ＬＴＥ）規格、またはその高度なバージョンであるＬＴＥ‐Ａなどのモバイル通信規格に従って設計されてよい。４Ｇおよび５ＧのＬＴＥ、ならびにそれ以降として販売されるＬＴＥ（Ｌｏｎｇ  Ｔｅｒｍ  Ｅｖｏｌｕｔｉｏｎ）は、携帯電話およびデータ端末用の高速データの無線通信の規格である。ここで説明されるデバイスは、ＯＦＤＭシステムに適用されてよく、ＯＦＤＭシステムでは、複数のキャリア周波数においてデジタルデータがエンコードされている。
【００１２】
ここで説明されるデバイスはさらに、基地局（またはＮｏｄｅＢまたはｅＮｏｄｅＢまたは無線セル）において、およびモバイルデバイスなどの通信デバイス（または移動局またはユーザ機器（ＵＥ））において、例えばネットワーク接続したデバイスが情報のやり取りを行うことと、人間の手動支援なしに動作を実行することを可能にするマシンツーマシン（Ｍ２Ｍ）通信のシナリオにおいて、またはマシンタイプ通信（ＭＴＣ）または１つのモバイルデバイスは（基地局を横断する通信パス、または基地局を横断しない通信パスのどちらかを用いることによって）別のモバイルデバイスとの通信を行うデバイスツーデバイス（Ｄ２Ｄ）通信、もしくはビークルツーエニシング（Ｖ２Ｘ）通信のシナリオにおいて実装されてよい。ビークルツーエブリシング（ＶＶ２Ｘ）通信は、車両から、車両に影響し得る任意のエンティティへおよび、エンティティから車両へ情報を流すことである。
【００１３】
ここで説明されるデバイスおよびシステムは、例えば「ｈｔｔｐｓ：／／ｍｅｔｉｓ−ｉｉ．５ｇ−ｐｐｐ．ｅｕ／ｗｐ−ｃｏｎｔｅｎｔ／ｕｐｌｏａｄｓ／ｐｕｂｌｉｃａｔｉｏｎｓ／２０１６／２０１６−０５−ＩＣＣ−Ａ−ｎｏｖｅｌ−ｓｔａｔｅ−ｍｏｄｅｌ−ｆｏｒ−５Ｇ−ｒａｄｉｏ−ａｃｃｅｓｓ−ｎｅｔｗｏｒｋｓ．ｐｄｆ」、「３ＧＰＰ  ＴＲ  ２３．７９９  −  Ｓｔｕｄｙ  ｏｎ  ａｒｃｈｉｔｅｃｔｕｒｅ  ｆｏｒ  ｎｅｘｔ  ｇｅｎｅｒａｔｉｏｎ  ｓｙｓｔｅｍ，  ｉｎ  ｐａｒｔｉｃｕｌａｒ  Ｓｅｃｔｉｏｎ  ６．３．５  ‐  ｃｏｎｔｅｘｔ  ｃｏｏｋｉｅ  ｃｒｅａｔｉｏｎ」、「３ＧＰＰ  ＴＳ  ２６．２１３  ‐進化型ユニバーサル地上無線アクセス  （Ｅ−ＵＴＲＡ）；  Ｐｈｙｓｉｃａｌ  ｌａｙｅｒ  ｐｒｏｃｅｄｕｒｅｓ」、および「３ＧＰＰ  ＬＴＥ−Ｖ２Ｘ  Ｔｅｃｈｎｉｃａｌ  Ｒｅｐｏｒｔ：  ３ＧＰＰ  ３６．８８５：  ｈｔｔｐ：／／ｗｗｗ．ｔｅｃｈ−ｉｎｖｉｔｅ．ｃｏｍ／３ｍ３６／ｔｉｎｖ−３ＧＰＰ−３６−８８５．ｈｔｍｌ」による次世代（ＮＧ）無線ネットワークに従って設計されてよい。
【００１４】
説明されているデバイスおよびシステムは、集積回路および／またはパッシブを含んでよく、様々な技術によって製造されてよい。例えば、回路は論理集積回路、アナログ集積回路、混合信号集積回路、光回路、メモリ回路、および／または統合パッシブとして設計されてよい。
【００１５】
ここで説明されるデバイスは、無線信号を送信および／または受信するように構成されてよい。無線信号は、無線送信デバイス（または無線送信機または発信機）により、およそ３ｋＨｚから３００ＧＨｚまでの範囲にある無線周波数で放射される無線周波数信号であってよく、または当該信号を含んでよい。周波数範囲は、電波を生成および検出するために用いられる交流電気信号の周波数に対応し得る。
【００１６】
本発明を詳細に説明すべく、以下の用語、略語および表記が用いられる。
ＲＡＮ：無線アクセスネットワーク
ＲＲＣ：無線リソース制御または無線リソース制御装置
ＭＴＣ：マシンタイプ通信（デバイス）
Ｍ２Ｍ：マシンツーマシン（通信）
Ｄ２Ｄ：デバイスツーデバイス
Ｖ２Ｘ：ビークルツーエブリシング
Ｖ２Ｖ：ビークルツービークル
ＯＦＤＭ：直交周波数分割多重
ＢＳ：基地局、ｅＮｏｄｅＢ、ｅＮＢ、無線セル
ＵＥ：ユーザ機器、例えばモバイル通信デバイスまたはマシンタイプ通信デバイス
４Ｇ：３ＧＰＰ規格化による第４世代
５Ｇ：３ＧＰＰ規格化による第５世代
ＬＴＥ：ロングタームエボリューション
ＲＦ：無線周波数
ＤＲＸ：不連続的な受信
ＲＬＦ：無線リンク障害
ＳＰＳ：半永続的な
ＲＡ：ランダムアクセス
ＣＮ：Ｃｏｒｅ  Ｎｅｔｗｏｒｋ
ＳＲＢ：静的無線ベアラ
ＤＲＢ：動的無線ベアラ
ＲＴＴ：ラウンドトリップタイム
【００１７】
第１態様によると、本発明は、ユーザ機器（ＵＥ）であって、ＵＥと無線アクセスネットワーク（ＲＡＮ）との間で無線リソース制御（ＲＲＣ）メッセージを送受信するように構成されている送受信機と、非輻輳状況がＲＡＮにより示される場合、ＲＲＣメッセージの第１シーケンスの処理に応じるＵＥの動作モードをアクティブ化するように構成されている無線リソース制御装置とを備え、無線リソース制御装置は、ＲＡＮにより特殊状況、特に輻輳状況または省電力状況が示される場合、ＲＲＣメッセージの第２シーケンスの処理に応じるＵＥの動作モードをアクティブ化するように構成され、ＲＲＣメッセージの第２シーケンスの処理に対するレイテンシは、ＲＲＣメッセージの第１シーケンスを処理するためのレイテンシより少ない、ユーザ機器（ＵＥ）に関する。
【００１８】
第２シーケンスが、ＲＲＣメッセージの第１シーケンスより処理レイテンシの低い第２シーケンスを輻輳または省電力状況においてＲＲＣメッセージの処理することにより、このレイテンシ低減はより速い処理につながり、従って輻輳の解決につながる。輻輳状態または低電力状況が終了すると、それがＲＡＮにより判定されＵＥに示され得て、ＵＥは、より高いレイテンシ要求を有するＲＲＣメッセージの第１シーケンス（ＲＲＣメッセージの第１シーケンスは、常に接続モードにあることを意味する）を処理するための通常状態に変化し得る。しかしながら、これらのより高いレイテンシ要求は通常状況において満され得る。通常状況では、輻輳が検出されることはなく、またはＵＥが低電力モードにあることもない。
【００１９】
第１態様によるＵＥの第１の可能な実装形態において、ＲＲＣメッセージの第１シーケンスを処理することは、ページングメッセージング、ランダムアクセス（ＲＡ）メッセージング、ＲＲＣメッセージングおよびＲＡＮコンテキストフェッチングを含み、ＲＲＣメッセージの第２シーケンスを処理することは、ＲＲＣメッセージングおよびＲＡＮコンテキストフェッチングを含む。
【００２０】
これは、輻輳または低電力状況において、輻輳を軽減すべく、ＲＲＣメッセージングおよびＲＡＮコンテキストフェッチングである必要なメッセージのみが処理され、一方で、通常状況、即ち、輻輳でも低電力でもない状態では、ＵＥの変化性を改善するために更なるメッセージが処理されるという利点を提供する。
【００２１】
そのような第１態様による、またはＵＥの第１の実装形態によるＵＥの第２の可能な実装形態において、無線リソース制御装置は、ＵＥの動作モードをアクティブ化するレイテンシを低減すべく、ＲＲＣメッセージの第２シーケンスを処理する場合、ページングメッセージングおよびＲＡメッセージングを省略するように構成されている。
【００２２】
これは、ページングメッセージングおよびＲＡメッセージングを省略することが、輻輳を軽減すべく、輻輳または低電力状況にある場合、レイテンシを低減するという利点を提供する。これは、ＵＥがトラフィックを待つ時間、およびページングを開始する時間を省く。
【００２３】
そのような第１態様による、またはＵＥの上述の実装形態のいずれかによるＵＥの第３の可能な実装形態においては、ＲＡＮにＵＥをアタッチすることにより、特にＲＲＣ接続非アクティブモードからＲＲＣ接続モードへのＵＥの状態変化によりＵＥの動作モードがアクティブ化される。
【００２４】
これは、ＵＥがＲＡＮ（接続モード）にアタッチされ、輻輳につながり得る多くのメッセージを受信している場合に輻輳の軽減が実行され得るという利点を提供する。もう一方の状況にある間は、ＵＥがＲＡＮにアタッチされていない場合（接続非アクティブモード）であり、メッセージが受信されず、輻輳が起こることもないと考えられるので、輻輳の軽減は必要ではない。
【００２５】
ＵＥの第３の実装形態によるＵＥの第４の可能な実装形態において、無線リソース制御装置は、ＲＡＮにより輻輳状況または省電力状況が示される場合、ＲＲＣ接続モードとＲＲＣ接続非アクティブモードとの間の周期的な遷移をアクティブ化するように構成されている。
【００２６】
これは、ＲＲＣ接続モードとＲＲＣ接続非アクティブモードとの間の周期的な遷移が、基地局（またはＲＡＮ）が全ての輻輳したＵＥにデータを送信する機会を提供し、従って輻輳を軽減または少なくとも低減することに役立つという利点を提供する。
【００２７】
ＵＥの第３から第４の実装形態のいずれかによるＵＥの第５の可能な実装形態において、無線リソース制御装置は、ＲＡＮにより輻輳状況または省電力状況が示される場合、無線ベアラ、特に少なくとも１つの静的無線ベアラ（ＳＲＢ）および／または少なくとも１つの動的無線ベアラ（ＤＲＢ）を周期的にアクティブ化および解放するように構成されている。
【００２８】
これは、無線ベアラの周期的なアクティブ化および解放は、基地局（またはＲＡＮ）が全ての輻輳したＵＥにデータを送信する機会を提供し、従って輻輳を軽減または少なくとも低減することに役立つという利点を提供する。これは、過渡期間の間にＳＲＢおよびＤＲＢなどのリソースを利用しながら、輻輳したＵＥがネットワークにアクセスすることに役立つ。
【００２９】
ＵＥの第３から第５の実装形態のいずれかによるＵＥの第６の可能な実装形態において、送受信機は、特にバッファステータス報告（ＢＳＲ）情報およびタイミングアドバンス情報を含む測定報告をＲＲＣ接続モードのＲＡＮに送信して、ＲＡＮが測定報告に基づいてＲＡＮコンテキスト更新することを可能にするように構成されている。
【００３０】
これは、測定報告を用いることによって、ＲＡＮがＲＡＮコンテキストを更新できるという利点を提供する。したがって、現在のＲＡＮコンテキストを省き、後の段階で再取得することができる。ＲＡＮコンテキストを更新する場合、ＲＡＮはスクラッチから開始する必要がなく、これはシグナリングメッセージを省き、従ってレイテンシを低減する。
【００３１】
そのような第１態様による、またはＵＥの上述の実装形態のいずれかによるＵＥの第７の可能な実装形態において、無線リソース制御装置は、ステートマシンに基づいてＵＥの動作モードを変更するように構成され、ステートマシンは、ＲＲＣメッセージの第２シーケンスの処理と関連付けられる半永続（ＳＰＳ）ＲＲＣモード、およびＲＲＣメッセージの第１シーケンスの処理と関連付けられる通常ＲＲＣモードを含む。
【００３２】
これは、ＵＥの動作モードのアクティブ化が、ステートマシンの実装により、例えばソフトウェアとしてアルゴリズムによって、またはハードウェアによって簡単に実行できるという利点を提供する。そのようなステートマシンは、ＵＥとＲＡＮとの間の通信を簡単にモデル化できる。
【００３３】
ＵＥの第７の実装形態によるＵＥの第８の可能な実装形態において、無線リソース制御装置は、ＲＡＮにより輻輳状況または省電力状況が示される場合、ＳＰＳ  ＲＲＣモードを周期的にアクティブ化するように構成されている。
【００３４】
ＳＰＳ  ＲＲＣモードのこの周期的なアクティブ化は、輻輳を軽減すべく、輻輳したＵＥがネットワークにアクセスすることに役立つ。
【００３５】
ＵＥの第８の実装形態によるＵＥの第９の可能な実装形態において、無線リソース制御装置は、第１タイマの第１タイマ終了イベントに応答してＵＥの動作モードを、ＳＰＳ  ＲＲＣモードから通常ＲＲＣモードに変更するように構成されている。
【００３６】
これは、ＳＰＳ  ＲＲＣモードと通常ＲＲＣモードとの間の遷移の周期が第１タイマを調整することにより設定され得るという利点を提供する。
【００３７】
ＵＥの第９の実装形態によるＵＥの第１０の可能な実装形態において、第１タイマはＲＡＮにより設定可能である。
【００３８】
これは、ＳＰＳ  ＲＲＣモードと通常ＲＲＣモードとの間の遷移の周期が、例えばトラフィック状況および事業者により決定される要求に応じて、ＲＡＮにより設定され得るという利点を提供する。
【００３９】
ＵＥの第７から第１０の実装形態のいずれかによるＵＥの第１１の可能な実装形態において、無線リソース制御装置は、ＵＥがＳＰＳ  ＲＲＣモードにある場合、ＵＥの動作モードをＲＲＣ接続モードからＲＲＣ接続非アクティブモードに変更することを周期的にアクティブ化するように構成されている。
【００４０】
これは、ＲＲＣ通常モードと同一の状態の「ＲＲＣ接続モード」および「ＲＲＣ接続非アクティブモード」がＳＰＳ  ＲＲＣモードにおいても利用可能になり、これら２つの状態の間の遷移のみがＲＲＣ通常モードと異なるという利点を提供する。
【００４１】
ＵＥの第１１の実装形態によるＵＥの第１２の可能な実装形態において、無線リソース制御装置は、第２タイマの第２タイマ終了イベントに応答して、ＵＥの動作モードを、ＲＲＣ接続非アクティブモードからＲＲＣ接続モードに変更するように構成されている。
【００４２】
これは、ＳＰＳ  ＲＲＣモードにおけるＲＲＣ接続非アクティブモードとＲＲＣ接続モードとの間の遷移の周期が第２タイマを調整することにより設定され得るという利点を提供する。
【００４３】
ＵＥの第１２の実装形態によるＵＥの第１３の可能な実装形態において、無線リソース制御装置は、無線ベアラ、特に少なくとも１つの静的無線ベアラ（ＳＲＢ）および／または少なくとも１つの動的無線ベアラ（ＤＲＢ）を、他のＵＥによる使用のために、第２タイマの作動中に解放するように構成されている。
【００４４】
これは、無線ベアラを解放することにより他の輻輳したＵＥがこれらの無線ベアラを取得して、ＲＡＮにアタッチし、輻輳を解決できるという利点を提供する。
【００４５】
ＵＥの第１２から第１３の実装形態のいずれかによるＵＥの第１４の可能な実装形態において、無線リソース制御装置は、第２タイマ終了イベントに応答して、ＲＡＮとのＲＲＣ接続を再開するためにＲＡＮにＲＲＣ接続再開リクエストメッセージを送信するように構成されている。
【００４６】
これは、ＲＡＮにＲＲＣ接続再開リクエストメッセージを送信することにより、ＵＥがＲＲＣ  ＳＰＳモードを制御し得る、即ち、ＵＥで制御されるＲＲＣ  ＳＰＳモードがＲＡＮで制御されるＲＲＣ  ＳＰＳモードのそばに提供され得るという利点を提供する。
【００４７】
ＵＥの第１４の実装形態によるＵＥの第１５の可能な実装形態において、無線リソース制御装置は、予め定義された無線リソースブロックおよび／またはグラントフリーサブキャリア多元接続（ＳＣＭＡ）に基づいてＲＲＣ接続再開リクエストメッセージを送信するように構成されている。
【００４８】
これは、他のＵＥに割り当てられている時間／周波数リソースと、物理層においてＲＲＣ接続再開リクエストメッセージが衝突する可能性が回避され得るという利点を提供する。したがって、緊急状況の間に必要になり得るネットワークへの速いアクセスが実現され得る。
【００４９】
第２態様によると、本発明は、ユーザ機器（ＵＥ）、特に請求項１から１６のいずれか一項に記載のＵＥとＲＡＮエンティティとの間の無線リソース制御（ＲＲＣ）メッセージを送受信するように構成されている送受信機と、ＲＡＮエンティティの特殊状況、特に輻輳状況または省電力状況を判定するように構成されている無線リソース制御装置とを含む無線アクセスネットワーク（ＲＡＮ）エンティティ、特に基地局（ＢＳ）であって、無線リソース制御装置は、非特殊状況、特に非輻輳状況または非省電力状況をＵＥに示して、ＵＥが、ＲＲＣメッセージの第１シーケンスの処理に応じるＵＥの動作モードをアクティブ化させることを可能にするように構成され、無線リソース制御装置は、特殊状況、特に輻輳状況または省電力状況をＵＥに示され得て、ＵＥが、ＲＲＣメッセージの第２シーケンスの処理に応じるＵＥの動作モードをアクティブ化させることを可能にするように構成され、ＲＲＣメッセージの第２シーケンスの処理のためのレイテンシは、ＲＲＣメッセージの第１シーケンスの処理のためのレイテンシより少ないＲＡＮエンティティに関する。
【００５０】
第２シーケンスが、ＲＲＣメッセージの第１シーケンスより処理レイテンシの低い第２シーケンスを輻輳または省電力状況においてＲＲＣメッセージの処理することにより、このレイテンシ低減はより速い処理につながり、従って輻輳の解決につながる。輻輳状態または低電力状況が終了すると、それがＲＡＮにより判定されＵＥに示され得て、ＵＥは、より高いレイテンシ要求を有するＲＲＣメッセージの第１シーケンス（ＲＲＣメッセージの第１シーケンスは、常に接続モードにあることを意味する）を処理するための通常状態に変化し得る。しかしながら、これらのより高いレイテンシ要求は通常状況において満され得る。通常状況では、輻輳が検出されることはなく、またはＵＥが低電力モードにあることもない。
【００５１】
第２態様によるＲＡＮエンティティの第１の可能な実装形態によると、無線リソース制御装置は、通信が行われる無線リソースにおけるエネルギーレベルを決定することに基づいて、特にチャネルビジー率（ＣＢＲ）に基づいてＵＥのサイドリンク接続に対する輻輳を判定するように構成されている。これは、輻輳状況を検出する簡単且つ効果的な手段という利点を提供する。
【００５２】
そのような第２態様による、または第２態様の第１の実装形態によるＲＡＮエンティティの第２の可能な実装形態において、無線リソース制御装置は、ＵＥからＲＡＮコンテキストをフェッチして、ＵＥに対するＲＲＣ接続を再開するためにフェッチされたＲＡＮコンテキストの情報を用いるように構成されている。
【００５３】
これは、ＲＡＮエンティティが、ＵＥに対するＲＲＣ接続を再開するために、格納されたＲＡＮコンテキストを用いることができるという利点を提供する。格納されたＲＡＮコンテキストを用いることによって、ＲＡＮはスクラッチから開始する必要がなく、これはシグナリングメッセージを省き、従ってレイテンシを低減させる。
【００５４】
そのような第２の態様による、または第２態様の第１の実装形態によるＲＡＮエンティティの第３の可能な実装形態において、無線リソース制御装置は、ＵＥからＲＡＮコンテキストをフェッチして、他のＵＥにＲＡＮコンテキストにより示されるリソースを提供するためにフェッチされたＲＡＮコンテキストの情報を用いるように構成されている。
【００５５】
これは、ＲＡＮエンティティが、フェッチされたＲＡＮコンテキストから情報を、他のＵＥにリソースを提供するために利用し得るという利点を提供する。したがって、他のＵＥと接続している場合、ＲＡＮエンティティはスクラッチから開始する必要がなく、これはシグナリングメッセージを省き、従ってレイテンシを低減させる。
【００５６】
第２態様の第２から第３の実装形態のいずれかによるＲＡＮエンティティの第４の可能な実装形態において、無線リソース制御装置は、ＵＥからフェッチされたＲＡＮコンテキストの情報に基づいてＲＡＮにより格納されるＲＡＮコンテキストを更新するように構成されている。
【００５７】
これは、ＵＥからフェッチされるＲＡＮコンテキストの情報に基づいてＲＡＮにより格納されたＲＡＮコンテキストを更新することにより、ＲＡＮにより格納されたＲＡＮコンテキストは、ＲＲＣ接続の実際状況を示すという利点を提供する。ＲＡＮエンティティは、通信システムにおける変化にすぐに反応できる。
【図面の簡単な説明】
【００５８】
本発明の更なる実施形態が、以下の図に関連して説明される。
【図１】５Ｇ  ＲＡＮ設計によるＵＥの状態遷移を示す状態図１００である。
【図２】ＬＴＥ  ＲＡＮ設計によるＵＥの状態遷移を示す状態図２００である。
【図３】５Ｇ  ＲＡＮ設計による、ＵＥ３１０と５Ｇ  ＲＡＮ３２０と５Ｇコアネットワーク（ＣＮ）３３０との間のメッセージングを示すメッセージシーケンス図３００である。
【図４】本開示によるＵＥの状態遷移を示す状態図４００である。
【図５】ＲＲＣ  ＳＰＳモード４４０がＲＡＮ３２０により制御される場合の、本開示による、ＵＥ３１０と５Ｇ  ＲＡＮ３２０と５Ｇコアネットワーク（ＣＮ）３３０との間のメッセージングを示すメッセージシーケンス図５００である。
【図６】ＲＲＣ  ＳＰＳモード４４０がＵＥ３１０により制御される場合の、本開示による、ＵＥ３１０と５Ｇ  ＲＡＮ３２０と５Ｇコアネットワーク（ＣＮ）３３０との間のメッセージングを示すメッセージシーケンス図６００である。
【図７】本開示によるユーザ機器７００を示す概略図である。
【図８】本開示によるＲＡＮエンティティ８００、例えば基地局を示す概略図である。
【発明を実施するための形態】
【００５９】
以下の詳細な説明において、その一部分を形成する添付図面を参照し、本開示が実施され得る具体的態様を実例として示す。他の態様が利用されてよく、本開示の範囲から逸脱することなく、構造的または論理的変更がなされてよいこととが理解される。以下の詳細な説明は、従って、限定的な意味にとらえられるべきものではなく、本開示の範囲は、添付の特許請求の範囲によって定義される。
【００６０】
記載される方法に関してなされた解説はまた、当該方法を実行するように構成された対応するデバイスまたはシステムに関して当てはまる可能性があり、逆も同様であることと理解される。例えば、特定の方法の段階が説明される場合、対応するデバイスは、説明される方法の段階を実行するユニットを、そのようなユニットが明確に説明されていないまたは図面に示されていない場合であっても、含んでよい。さらに、ここで説明される様々な例示的態様の特徴は、具体的にそうでないことが示されない限り、互いに組み合わせられてよいことと理解される。
【００６１】
図１は、５Ｇ  ＲＡＮ設計によるＵＥの状態遷移を示す状態図１００である。
【００６２】
ステートモデル１００は、効率的なＵＥスリープ、スリープ状態からアクティブ状態への高速且つ軽量な遷移、および共同アクセス最適化を可能にする５Ｇアクセスのために導入される。ステートモデル１００は、アイドルモード（ＲＲＣ＿ＩＤＬＥ）１１０、接続モード（ＲＲＣ＿ＣＯＮＮＥＣＴＥＤ）１２０、および接続非アクティブモード（ＲＲＣ＿ＣＯＮＮＥＣＴＥＤ＿ＩＮＡＣＴＩＶＥ）１３０の３つの状態で構成される。ステートモデル１００において、主に第１の初期アクセス（例えば、ＵＥがネットワークにアタッチする場合）の間に、またはフォールバックの場合（例えば、デバイスおよび／またはネットワークが、前もって格納されたＲＡＮコンテキストを用いることができない場合）として、接続セットアップ１１１およびデタッチ／ＲＬＦ１２１から、アイドルモード１１０から接続モード１２０に、そしてアイドルモード１１０に戻る状態遷移が発生すると予想される。その結果、この遷移はＬＴＥの場合ほど多く発生しないは予想される。
【００６３】
一方で、接続非アクティブモード１３０から接続モード１２０に遷移し、接続非アクティブモード１３０に戻るトラフィック到達、ページング１３１およびＲＲＣ非アクティブタイマ１２２という遷移はかなり多く発生すると予想され、軽量且つ高速の遷移として最適化されるべきである。この最適化の手順の詳細は、以下に説明される。
【００６４】
更なる遷移ＲＬＦ（Ｒａｄｉｏ  Ｌｉｎｋ  Ｆａｉｌｕｒｅ）１１３は、接続非アクティブモード１３０とアイドルモード１１０との間の遷移である。この遷移はほとんど発生しないと予想される。ＲＬＦ１１３が起こる場合、ＵＥはＲＲＣ接続再確立手順を開始し、ＲＲＣ接続の解放について上位層に通知するものとする。
【００６５】
図２は、ＬＴＥ  ＲＡＮ設計によるＵＥの状態遷移を示す状態図２００である。現在、ＬＴＥは「アイドルモード」２１０、「接続モード」２２０、および「ＤＲＸ状態」２３０、これらの３つの異なる状態をサポートする。アイドルモード２１０では、ＵＥ位置は、ＲＡＮでは知られていなく、接続モード２２０では、ＵＥは進行中のＲＡＮ接続を有する。アイドルモード２１０から接続モード２２０への移行はページングによるもので、接続セットアップ２１１およびアイドルモード２１０に戻る移行はデタッチング、ＲＬＦまたはＲＲＣ非アクティブタイマ２２１によるものである。
【００６６】
「アイドルモード」２１０において、ＵＥがスリープ中の場合は、ＣＮ（Ｃｏｒｅ  Ｎｅｔｗｏｒｋ）コンテキストのみが格納される。ＵＥおよびネットワークは、この状態に移動する場合、ＲＡＮコンテキスト情報を破棄する。ＵＥは、トラッキングエリアレベルでのみネットワークに知られており、ネットワークに通知することなくトラッキングエリアに属するセル内において移動してよい。というものの、ＵＥは、ネットワークにより提供される構成に基づくセルの再選択手順により最善なセルにキャンプするのであろう。
【００６７】
接続モード２２０において、ＵＥはセルレベルで知られており、移動度は完全に（ハンドオーバーによって）ネットワークで制御される。ＲＡＮコンテキストは存在する。この状態２２０において、ＤＲＸ状態２３０への遷移（例えば、ＤＲＸ非アクティブタイマ２２２に応じて）は、より有効なリソースの利用に係る、データバースト間のマイクロスリープ期間２４０のために用いられる。例えば、ウェブセッションの間に、ダウンロードされたウェブページをユーザが読んでいる間に、リソースを浪費して継続的にダウンリンクチャネル（例えば、ＰＤＣＣＨ）をモニタリングするのではなく、ＤＲＸサイクルを短くすることで、データ転送が再開（トラフィック到達、ページング２３１）された場合、より速い応答を可能にし得る。一方で、トラフィック需要の不明確さによって、ＤＲＸ状態２３０は、ネットワークがＵＥに到達したい場合（例えば、受信しているトラフィックがある場合）に遅延につながり得る。ＤＲＸサイクルは、ＵＥがダウンリンクチャネルおよび物理信号をモニタリング（他のアクションの中でもとりわけページングによってネットワークがＵＥに到達できるように）する「ｏｎ期間」およびＵＥがその受信機をオフに切り替えることができる場合の「スリープ期間」で構成される。
【００６８】
図３は、５Ｇ  ＲＡＮ設計による、ＵＥ３１０と５Ｇ  ＲＡＮ３２０と５Ｇコアネットワーク（ＣＮ）３３０との間のメッセージングを示すメッセージシーケンス図である。
【００６９】
アクティブＲＲＣ接続３１１が、ＵＥ３１０と５Ｇ  ＲＡＮ３２０との間に確立した場合、この接続に関連するＲＡＮコンテキスト識別３２１は、図１に関連して上述した状態図１００の接続モード１２０に従って、５Ｇ  ＲＡＮ３２０、および接続モード３１２にあるＵＥ３１０に提供される。
【００７０】
ＵＥ３１０と５Ｇ  ＲＡＮ３２０との間のＲＲＣ接続が非アクティブ化される場合３１３、ＣＮ／ＲＡＮ接続は５Ｇ  ＲＡＮ３２０とＣＮ３３０との間で維持され、このＲＲＣ接続に関連するＲＡＮコンテキストは５Ｇ  ＲＡＮ３２０により格納３２３され、この接続に関連するＲＡＮコンテキスト識別３１４はＵＥ３１０に提供される。
【００７１】
ＲＲＣ接続の更なるアクティブ化のために、第１メッセージシーケンス３２８としてもここで称される、次のメッセージシーケンスが実行される。ページングメッセージ３２４が、５Ｇ  ＲＡＮ３２０からＵＥ３１０に送出される。ＵＥ３１０は、ＲＡ（ｒａｎｄｏｍ  ａｃｃｅｓｓ）プリアンブル３１５を、５Ｇ  ＲＡＮ３２０に送出し、５Ｇ  ＲＡＮ３２０はＲＡ応答３２５で応答する。ＳＲＢ０メッセージおよびＲＡＮコンテキスト３１４のコンテキストＩＤを有するＲＲＣ接続要求再開メッセージ３１５が、ＵＥ３１０から５Ｇ  ＲＡＮ３２０に送出されて、５Ｇ  ＲＡＮ３２０がＲＡＮコンテキストをフェッチすること３２６を可能にする。次に５Ｇ  ＲＡＮ３２０は、静的無線ベアラ（ＳＲＢ）および動的無線ベアラ（ＤＲＢ）の構成を有するＲＲＣ接続再開メッセージ３２７をＵＥ３１０に送出し、ＵＥ３１０は、ＲＲＣ接続再開完了メッセージ３１７で応答する。これは、新しいアクティブＲＲＣ接続３１８が確立されたことを示す。第１メッセージシーケンス３２８の、即ち、ＲＲＣ接続の再アタッチに対するレイテンシは、ページング、ＲＡ遅延、ＲＡＮコンテキストフェッチング遅延、およびＲＲＣメッセージやり取りのための１．５ＲＴＴ（ｒｏｕｎｄ  ｔｒｉｐ  ｔｉｍｅ）による期間（ｄｕｒａｔｉｏｎ  ｏｆ）に相当する。
【００７２】
図１に関連して上述したＲＲＣ接続非アクティブモード１３０は、ＭＴＣのための拡張されたＤＲＸモードの一部として、５Ｇ  ＲＡＮ２において議論中である。接続非アクティブモード１３０の間に、専用のＳＲＢおよびＤＲＢ接続が解放されるが、ＲＡＮ３２０とＣＮ３３０との間の接続は、図３に示されるように保持３２２される。ページングメッセージ３２４がＲＡＮ３２０に到達した場合、接続要求再開３１６（再アクティブ化）が開始されて、ＳＲＢおよびＤＲＢを再設定する。
【００７３】
接続非アクティブモード１３０から接続モード１２０への遷移は、トラフィック到着およびページング１３１に基づく。接続モード１２０から接続非アクティブモード１３０への遷移は、ユーザプレーントラフィックがないことをネットワークが偶然検出した場合のＲＲＣ非アクティブタイマ１２２に基づく。輻輳シナリオの間のページングおよびランダムアクセス（図３に示されるメッセージ３２４、３１５、３２５）によるレイテンシは、Ｖ２ｘの場合、非常に高い。
【００７４】
非アクティブタイマに依存し、ユーザデータが到達する場合にページングを開始する代わりに、輻輳シナリオの間に、より有効にＲＡＮメモリおよびトラフィックパターンを活用することにより、著しい改善が行われ得る。この改善は、図４から図６に関連して後述するように、「半永続モード」４４０と呼ばれる更なる状態を含む変更状態図４００に関する。
【００７５】
図４は、本開示によるＵＥの状態遷移を示す状態図４００である。
【００７６】
この状態図４００は、図１に関連して上述した状態図１００の状態および状態遷移を含み、さらに、図１に関連して上述した接続モード１２０および接続非アクティブモード１３０の２つの状態に対応する接続モード４２０および接続非アクティブモード４３０を含む「半永続（ＳＰＳ）モード」４４０と呼ばれる追加の状態を含む。ＳＰＳ  ＲＲＣモード４４０は、第１タイマ（Ｔｉｍｅｒ１）に依存して輻輳の間に特定の間隔でアクティブ化４４１される。即ち、Ｔｉｍｅｒ１はＳＰＳ  ＲＲＣモード４４０をアクティブ化する間隔を指定する。ＳＰＳ  ＲＲＣモード４４０において、接続モード４２０と接続非アクティブモード４３０との間の遷移は第２タイマ（Ｔｉｍｅｒ２）により制御される。タイマ２は、接続モード４２０から接続非アクティブモード４３０への遷移４２１の周期を指定する。タイマ２の満了４３１は、接続非アクティブモード４３０から接続モード４２０に戻る遷移につながる。
【００７７】
ＳＰＳ  ＲＲＣモード４４０の非アクティブ化４４３は、ＳＰＳモード４４０から通常状態図１００の接続モード１２０に戻る遷移につながる一方、ＳＰＳ  ＲＲＣモード４４０における無線リンク障害（ＲＬＦ）状況は、ＳＰＳモード４４０から通常状態図１００のアイドルモード１１０に戻る遷移を引き起こす。
【００７８】
上述したＳＰＳ  ＲＲＣモード４４０をアクティブ化させることにより、次の利点が実現され得る。重渋滞のシナリオにおいては、ＵＥがほぼ静止しているかまたはゆっくり移動して、ＴＡ（ｔｉｍｉｎｇ  ａｄｖａｎｃｅ）の非常に小さい変化につながり、ＢＳが上記理由に起因する重い負荷を感知すると、半永続ＲＲＣモード４４０をトリガーし得る。別のシナリオでは、ＢＳがＳＰＳ  ＲＲＣモード４４０をトリガーして、省電力モードの間の周期的なダウンリンクおよびアップリンクの小データ送信をトリガーする。エネルギーの消費を最小化するために、ＳＰＳ  ＲＲＣモードはアクティブ化され得る。当該モードでは、ＭＴＣデバイスはネットワークからのページングメッセージをモニタリングすることを回避することで、周期的な状態遷移を行うことができる。図４に示されるように、半永続モード４４０は、ＲＲＣ接続モード４２０と接続非アクティブモード４３０との間の周期的な遷移を管理する。半永続ＲＲＣモード４４０における専用のＳＲＢ＆ＤＲＢの周期的なアクティブ化および解放は、ＢＳが全ての輻輳したＵＥがデータを送信する機会を提供することを助けることができる。ＲＡＮメモリおよび周期的なトラフィックパターンは、半永続ＲＲＣモード４４０をアクティブ化させることにより輻輳シナリオの間に活用される。周期的なＳＰＳモード４４０は、過渡期間の間にＳＲＢ、ＤＲＢ、制御チャネル／データチャネルなどのリソースを利用しながら、輻輳したＵＥがネットワークにアクセスするように助ける。
【００７９】
上述の状態図４００を適用することにより、次の機能が実現され得る。半永続モード４４０は、接続モード４２０と接続非アクティブモード４３０との間の周期的な遷移を管理できる。ＳＰＳモード４４０は、過渡期間の間にＳＲＢ、ＤＲＢ、制御チャネル／データチャネルなどのリソースを利用しながら輻輳したＵＥがネットワークにアクセスするように助ける。ＲＡＮ、例えばＲＡＮの基地局は、ＵＥからのバッファステータス報告で測定され得るパケットの到着に基づいてＳＰＳタイマ周期を計算できる。
【００８０】
ＳＰＳ  ＲＲＣモード４４０は、アドミッション制御からの予め定義された閾値を有するＲＲＣ接続要求失敗の回数を計算することで、ＢＳにより輻輳の間にトリガーされ得る。ＳＰＳ  ＲＲＣモードは、周期的なデータ送信のエネルギー節約目的のためにＭＴＣデバイスに対してトリガーされることもできる。図５に関連して後述するようなＲＡＮに制御されるＳＰＳモード、および図６に関連して後述するようなＵＥに制御されるＳＰＳモードは、格納されたコンテキストで再アタッチするためにネットワークへの速いアクセスを提供し得る。即ち、図５および図６に関連して後述するように、ページングおよびＲＡＣＨ手順は必要ない。ＴＡ、ＢＳＲのような格納されたＲＡＮコンテキストは、ＳＰＳタイマ周期の適合を助け得る、ＵＥからの測定報告で継続的に更新され得る。
【００８１】
図５は、ＲＡＮ３２０によりＲＲＣ  ＳＰＳモード４４０が制御される場合の本開示によるＵＥ３１０、５Ｇ  ＲＡＮ３２０および５Ｇコアネットワーク（ＣＮ）３３０の間のメッセージングを示すメッセージシーケンス図５００を示す。ＳＰＳモード４４０は、図４に関連して上述した状態図４００の状態４４０に対応する。
【００８２】
アクティブＲＲＣ接続３１１がＵＥ３１０と５Ｇ  ＲＡＮ３２０との間に確立される場合、この接続に関連するＲＡＮコンテキスト識別３２１は５Ｇ  ＲＡＮ３２０に提供される。（図４に関連して上述したＳＰＳモード４４０に対応する）ＳＰＳモード５１０がＲＡＮ３２０により設定される場合、第１タイマ（タイマ１）５４１は、図４に関連して上述したように、ＵＥ３１０と５Ｇ  ＲＡＮ３２０との間のＲＲＣ  ＳＰＳタイマモードをアクティブ化５１１させる。次にＵＥ３１０は、図４に関連して上述された状態図４００の接続モード４２０に係る接続モード５１２になる。ＣＮ３３０とＲＡＮ３２０との間のＣＮ／ＲＡＮ接続は、図３に関連して上述したように維持３２２される。図４に関連して上述したように、第２タイマ（タイマ２）５４２は、ＳＲＢおよびＤＲＢの解放５１４、および接続モード４２０から接続非アクティブモード４３０への遷移を開始する。したがって、ＵＥは接続非アクティブモード５１５にあって、このＲＲＣ接続に関連するＲＡＮコンテキストは５Ｇ  ＲＡＮ３２０により格納５２１される。接続モード４２０から接続非アクティブモード４３０に遷移するこの過渡時間５２４の間に、リソースは５Ｇ  ＲＡＮ３２０により他の輻輳したＵＥに提供され得る。
【００８３】
第２タイマ５４２が、満了５１６する場合、ＲＲＣ接続の更なるアクティブ化のためにここに第２メッセージシーケンス５２５とも称される次のメッセージシーケンスが実行される。５Ｇ  ＲＡＮ３２０はこのＲＲＣ接続のＲＡＮコンテキスト５２２をフェッチし、ＳＲＢおよびＤＲＢの構成を有するＲＲＣ接続再開メッセージ５２３は５Ｇ  ＲＡＮ３２０からＵＥ３１０に送出され、ＵＥ３１０はＲＲＣ接続再開完了メッセージ５１７で応答する。これは、新しいアクティブＲＲＣ接続５１８が確立されたことを示す。ＵＥはＲＲＣ接続モード４２０に戻る。第２メッセージシーケンス５２５の、即ち、ＲＲＣ接続の再アタッチに対するレイテンシは、ＲＡＮコンテキストフェッチング５２２の遅延による期間に、およびＲＲＣメッセージやり取り５２３、５１７のための１．０ＲＴＴ（ｒｏｕｎｄ  ｔｒｉｐ  ｔｉｍｅ）に対応する。
【００８４】
上述のメッセージシーケンス図５００を適用することにより、ネットワークの次の機能が実現され得る。ＲＡＮ３２０は、特定の周期（タイマ１）５４１を有するＲＲＣ  ＳＰＳタイマモードでＵＥ３１０を構成する。そのためＵＥ３１０は、接続非アクティブモード４３０と接続モード４２０との間を周期的に遷移できる。ＲＡＮコンテキストはＲＡＮ３２０、例えば基地局に格納５２１されてよく、ＳＲＢおよびＤＲＢは、ＢＳがそれらのリソースを他の輻輳したＵＥに提供５２４できる間に、解放５１４されてよい。ＲＡＮ３２０はＳＰＳタイマの持続時間を制御できるため、ＲＡＮ３２０は、格納されているＲＡＮ５２１コンテキストの知識からＵＥ３２０に（ＳＲＢ、ＤＲＢの構成を有する）ＲＲＣ接続再開３２７を送出して再アタッチすることができる。基地局は、例えば、ＵＥからのバッファステータス報告（ＢＳＲ）から測定され得る、例えばパケットの到着に基づいて、ＳＰＳタイマ周期（タイマ２）、５４２を計算してよい。ＢＳＲは、トラフィックの種類を提供し得る。ＵＥ３１０からのバッファステータス報告は、ＳＰＳタイマ５４２の周期を判定するために用いられ得る。ＲＡＮ３２０は、ＵＥ３１０からの更新されたＢＳＲ報告に基づいてＳＰＳタイマ５４２の周期を更新し得る。ＲＡＮ３２０は、セキュリティキー、ＵＥ能力情報、および遷移期間中のタイミングアドバンス等のようなコンテキスト情報を格納し得る。非アクティブモード４３０から接続を再開することは、静止しているまたは低速で移動する車の状況が仮定されているので、ページングＲＡＣＨ手順（図３に関連して上述したように）を再始動する必要がない。ＢＳは、格納されたＲＡＮコンテキスト５２１を、ＢＳＲなどのＵＥ３１０からの測定報告、周期的な接続モード４２０の間に格納されたＲＡＮコンテキスト５２１のＵＥ３１０からのタイミングアドバンス情報で更新し、タイマ１（５４１）およびタイマ２（５４２）を適合させ得る。
【００８５】
図６は、ＵＥ３１０によりＲＲＣ  ＳＰＳモード４４０が制御される場合の本開示によるＵＥ３１０、５Ｇ  ＲＡＮ３２０および５Ｇコアネットワーク（ＣＮ）３３０の間のメッセージングを示すメッセージシーケンス図６００を示す。ＲＲＣ  ＳＰＳモード４４０は、図４に関連して上述した状態図４００の状態４４０に対応する。
【００８６】
メッセージシーケンス図６００のメッセージは、ＲＲＣ  ＳＰＳモード４４０がＲＡＮ３２０により制御される場合に、図５に関連して上述したメッセージシーケンス図５００のメッセージに対応する。加えて、ＲＲＣ接続再開リクエストメッセージ６１９が、ＲＡＮ３２０をトリガーして第２メッセージシーケンス５２５の処理を実行するために、ＵＥにより開始される。第２メッセージシーケンス５２５にＵＥからＲＡＮへのこの追加のメッセージを追加すると、拡張された第２メッセージシーケンス６２５になる。拡張された第２メッセージシーケンス６２５は、ＲＲＣ接続再開リクエストメッセージ６１９、ＲＡＮコンテキストフェッチング５２２、ＳＲＢおよびＤＲＢの構成を有するＲＲＣ接続再開メッセージ５２３、およびＲＲＣ接続再開完了メッセージ５１７を含む。この拡張された第２メッセージシーケンス６２５のレイテンシ、即ち、ＲＲＣ接続の再アタッチのレイテンシは、ＲＡＮコンテキストフェッチング５２２の遅延、およびＲＲＣメッセージやり取り６１９、５２３、５１７の１．５ＲＴＴ（ｒｏｕｎｄ  ｔｒｉｐ  ｔｉｍｅ）による期間に相当する。即ち、拡張された第２メッセージシーケンス６２５による期間は、追加のＲＲＣ接続再開リクエストメッセージ６１９によって、図５に説明されているＲＡＮで制御されるＲＲＣ  ＳＰＳモードの第２メッセージシーケンス５２５による期間より、ラウンドトリップタイムの半分だけ長い。
【００８７】
上述したメッセージシーケンス図６００を適用することにより、ネットワークの次の機能が実現され得る。ＲＡＮ３２０、例えばＲＡＮ３２０の基地局（ＢＳ）が、例えばＣ-Ｖ２ｘの予め定義された閾値に対するＲＲＣ接続要求失敗を計算することにより輻輳を感知すると、ＲＲＣ  ＳＰＳモード４４０、５１０はアクティブ化され得る。ＰＣ５の場合、Ｄ２Ｄ  ＵＥからのチャネルビジー率（ＣＢＲ）測定報告が、例えば後述するように、例えば、輻輳を感知するために用いられ得る。接続ユーザの最大数が実現されると、ＢＳのアドミッション制御アルゴリズムはＵＥの接続要求を拒絶する可能性がある。（レイテンシ、信頼性に関連する）特定のＱｏＳ（ｑｕａｌｉｔｙ  ｏｆ  ｓｅｒｖｉｃｅ）の目標を維持することもＶ２ｘに非常に重要である。図６に示されるように、ＵＥで制御されるＲＲＣ  ＳＰＳモードでは、ＳＰＳタイマ５４２、即ち、タイマ２の満了後に、ＵＥ３１０は接続を再開するためにＲＲＣ接続再開リクエスト６１９をＢＳに送出できる。このＲＲＣメッセージは、しかしながら、他のＵＥに割り当てられている時間／周波数リソースとの物理層における衝突をもたらす可能性がある。したがって、予め定義されたリソースブロック（ＲＢ）またはグラントフリーＳＣＭＡが、ＲＲＣ接続再開リクエスト６１９を送信するために必要になる可能性がある。このメッセージ６１９は、例えば緊急状況の間に必要とされると、ネットワークに速くアクセスするために用いられ得る。
【００８８】
チャネル占有レベルは、通信が行われる無線リソースにおいてエネルギーレベルを測定することにより取得され得る。ベースラインとして、チャネルビジー率（ＣＢＲ）と呼ばれる測定が、次の通りに定義および判定され得る。受信信号のＮｐ個のプローブは、測定間隔Ｔｍ内で均等に分散されると見なされる。（長さがＴｐの）全てのチャネルプローブについて、平均信号レベルＳが決定される。ＣＢＲは受信信号レベルの閾値Ｓｔｈに対して測定され、次のように示される。
【数１】
2020504576.tif 000003
【００８９】
代表的な実装において、上記パラメータに対する限定値は次の通りであり得る。
【数２】
2020504576.tif 000004
【００９０】
図７は、本開示によるユーザ機器（ＵＥ）７００を示す概略図である。ＵＥは、図３から図６に関連して上述したＵＥ３１０に対応してよい。ＵＥ７００は、送受信機７０１および無線リソース制御装置（ＲＲＣ）７０２を含む。
【００９１】
送受信機７０１は、ＵＥ７００と無線アクセスネットワークＲＡＮ、例えば図３から６に関連して上述した５Ｇ  ＲＡＮ３２０の間で無線リソース制御（ＲＲＣ）メッセージを送受信するように構成されている。
【００９２】
無線リソース制御装置７０２は、ＲＡＮにより非輻輳状況が示される場合、ＲＲＣメッセージの第１シーケンス、例えば図３に関連して上述した第１シーケンス３２８の処理に応じるＵＥ７００の動作モードをアクティブ化するように構成されている。無線リソース制御装置７０２は、ＲＡＮにより特殊状況、特に輻輳状況または省電力状況が示される場合、ＲＲＣメッセージの第２シーケンス、例えば図５に関連して上述した第２シーケンス５２５または図６に関連して上述した拡張された第２シーケンス６２５の処理に応じるＵＥ７００の動作モードをアクティブ化するように構成されている。ＲＲＣメッセージの第２シーケンス５２５、６２５の処理に対するレイテンシは、ＲＲＣメッセージの第１シーケンス３２８の処理に対するレイテンシより低い。
【００９３】
ＲＲＣメッセージの第１シーケンス３２８の処理は、例えば図３に関連して上述したように、ページングメッセージング３２４、ランダムアクセス（ＲＡ）メッセージング３１５、３２５、ＲＲＣメッセージング３１６、３２７、３１７、およびＲＡＮコンテキストフェッチング３２６を含んでよい。ＲＲＣメッセージの第２シーケンス５２５、６２５の処理は、例えば図５および図６に関連して上述したように、ＲＲＣメッセージング５２３、５１７、６１９およびＲＡＮコンテキストフェッチング５２２を含んでよい。
【００９４】
無線リソース制御装置７０２は、ＵＥ７００の動作モードをアクティブ化するためのレイテンシを低減させるべく、ＲＲＣメッセージの第２シーケンス５２５、６２５を処理する場合、ページングメッセージング３２４およびＲＡメッセージング３１５、３２５を省略するように構成されてよい。
【００９５】
ＵＥ７００の動作モードは、例えば図４に関連して上述したように、ＵＥ７００をＲＡＮにアタッチすること、特にＲＲＣ接続非アクティブモード１３０、４３０からＲＲＣ接続モード１２０、４２０へのＵＥ７００の状態変化によりアクティブ化されてよい。
【００９６】
無線リソース制御装置７０２は、ＲＡＮにより輻輳状況または省電力状況が示される場合、ＲＲＣ接続モード４２０とＲＲＣ接続非アクティブモード４３０との間の周期的な遷移をアクティブ化するように構成されてよい。
【００９７】
無線リソース制御装置７０２は、ＲＡＮにより輻輳状況または省電力状況が示される場合、無線ベアラ、特に少なくとも１つの静的無線ベアラ（ＳＲＢ）および／または少なくとも１つの動的無線ベアラ（ＤＲＢ）を周期的にアクティブ化および解放するように構成されてよい。
【００９８】
送受信機７０１は、特にバッファステータス報告（ＢＳＲ）情報およびタイミングアドバンス情報を含む測定報告をＲＲＣ接続モード４２０においてＲＡＮに送信して、ＲＡＮが測定報告に基づいてＲＡＮコンテキスト５２１を更新することを可能にするように構成されてよい。
【００９９】
無線リソース制御装置７０２は、ステートマシン、例えば図４に関連して上述したようにステートマシン４００に基づいてＵＥ７００の動作モードを変更するように構成されてよく、このステートマシン４００は、ＲＲＣメッセージの第２シーケンスの処理５２５、６２５と関連付けられる半永続（ＳＰＳ）ＲＲＣモード４４０、およびＲＲＣメッセージの第１シーケンス３２８の処理と関連付けられる通常ＲＲＣモード１００を含む。
【０１００】
無線リソース制御装置７０２は、ＲＡＮにより輻輳状況または省電力状況が示される場合、ＳＰＳ  ＲＲＣモード４４０を周期的にアクティブ化させるように構成されてよい。
【０１０１】
無線リソース制御装置７０２は、例えば図４から図６に関連して上述したように、第１タイマ５４１の第１タイマ終了イベントに応答して、ＵＥ７００の動作モードをＳＰＳ  ＲＲＣモード４４０から通常ＲＲＣモード１００に変更するように構成されてよい。第１タイマ５４１は、ＲＡＮにより設定可能であってよい。
【０１０２】
無線リソース制御装置７０２は、ＵＥ７００がＳＰＳ  ＲＲＣモード４４０にある場合、ＵＥ７００の動作モードが、ＲＲＣ接続モード４２０からＲＲＣ接続非アクティブモード４３０へ変化することを周期的にアクティブ化するように構成されてよい。
【０１０３】
無線リソース制御装置７０２は、例えば図４から図６に関連して上述したように、第２タイマ５４２の第２タイマ終了イベントに応答して、ＵＥ７００の動作モードをＲＲＣ接続非アクティブモード４３０からＲＲＣ接続モード４２０に変更するように構成されてよい。
【０１０４】
無線リソース制御装置７０２は、例えば図５から図６に関連して上述したように、無線ベアラ５１４、特に少なくとも１つの静的無線ベアラ（ＳＲＢ）および／または少なくとも１つの動的無線ベアラ（ＤＲＢ）を、他のＵＥによる使用のために、第２タイマ５４２の作動中に解放するように構成されてよい。
【０１０５】
無線リソース制御装置７０２は、例えば図６に関連して上述したように、第２タイマ終了イベントに応答して、ＲＡＮとのＲＲＣ接続を再開するために、ＲＡＮにＲＲＣ接続再開リクエストメッセージ６１９）を送信するように構成されてよい。
【０１０６】
無線リソース制御装置７０２は、予め定義された無線リソースブロックおよび／またはグラントフリーサブキャリア多元接続（ＳＣＭＡ）に基づいてＲＲＣ接続再開リクエストメッセージ６１９を送信するように構成されてよい。
【０１０７】
図８は、本開示によるＲＡＮエンティティ８００、例えば基地局を示す概略図である。ＲＡＮエンティティ８００は、図３から図６に関連して上述した５Ｇ  ＲＡＮ３２０に対応してよい。ＲＡＮエンティティ８００は、送受信機８０１および無線リソース制御装置（ＲＲＣ）８０２を含む。
【０１０８】
送受信機８０１は、ユーザ機器ＵＥ、特に図７に関連して上述したような、ＵＥ７００とＲＡＮエンティティ８００と間で無線リソース制御（ＲＲＣ）メッセージを送受信するように構成されている。
【０１０９】
無線リソース制御装置８０２は、ＲＡＮエンティティ８００の特殊状況、特に輻輳状況または省電力状況を判定するように構成されている。無線リソース制御装置８０２は、例えば図３および図７に関連して上述したように、非特殊状況、特に非輻輳状況または非省電力状況をＵＥ７００に示すように構成され、ＵＥ７００がＲＲＣメッセージの第１シーケンス３２８の処理に応じるＵＥ７００の動作モードをアクティブ化することができるようにする。無線リソース制御装置８０２は、例えば図４、図５および図７に関連して上述したように、ＵＥ７００に特殊状況、特に輻輳状況または省電力状況を示すように構成され、ＵＥ７００がＲＲＣメッセージの第２シーケンス５２５、６２５の処理に応じるＵＥ７００の動作モードをアクティブ化することができるようにする。ＲＲＣメッセージの第２シーケンス５２５、６２５の処理に対するレイテンシは、ＲＲＣメッセージの第１シーケンス３２８の処理に対するレイテンシより低い。
【０１１０】
無線リソース制御装置８０２は、例えば、図６に関連して上述したように、通信が行われる無線リソースにおけるエネルギーレベルを決定することに基づいて、特にチャネルビジー率（ＣＢＲ）に基づいてＵＥ７００のサイドリンク接続に対する輻輳を判定するように構成されてよい。
【０１１１】
無線リソース制御装置８０２は、例えば図４から図７に関連して上述したように、ＵＥ７００とのＲＲＣ接続を再開３２７するために、ＵＥ７００からＲＡＮコンテキスト３２６をフェッチし、フェッチされたＲＡＮコンテキスト３２６の情報を用いるように構成されてよい。無線リソース制御装置８０２は、例えば図４から図７に関連して上述したように、ＲＡＮコンテキスト３２６により示されるリソースを他のＵＥに提供するために、ＵＥ７００からＲＡＮコンテキスト３２６をフェッチし、フェッチされたＲＡＮコンテキスト３２６の情報を用いるように構成されてよい。無線リソース制御装置８０２は、例えば図４から図７に関連して上述したように、ＵＥ７００からフェッチされたＲＡＮコンテキスト３２６の情報に基づいて、ＲＡＮにより格納されたＲＡＮコンテキスト３２３を更新するように構成されてよい。
【０１１２】
本開示は、無線アクセスネットワーク（ＲＡＮ）の輻輳を緩和する方法もサポートする。方法は、次の段階を含む。ＲＡＮにより非輻輳状況が示される場合、例えば図３に関連して上述したようにＲＲＣメッセージの第１シーケンス３２８の処理に応じるＵＥの動作モードをアクティブ化する段階、および、ＲＡＮにより特殊状況、特に輻輳状況または省電力状況が示される場合、例えば図５および図６に関連して上述したようにＲＲＣメッセージの第２シーケンス５２５、６２５の処理に応じるＵＥの動作モードをアクティブ化する段階であって、ＲＲＣメッセージの第２シーケンス５２５、６２５の処理に対するレイテンシはＲＲＣメッセージの第１シーケンス３２８の処理に対するレイテンシより低いアクティブ化する段階。
【０１１３】
本開示は、コンピュータ実行可能コードまたはコンピュータ実行可能命令を含むコンピュータプログラム製品もサポートし、当該コードまたは命令は、実行されると、少なくとも１つのコンピュータに、ここで説明される実行段階および計算段階、特に上述した方法の段階を実行させる。そのようなコンピュータプログラム製品は、コンピュータによる使用のためにプログラムコードを格納する可読非一時的記憶媒体を含んでよい。プログラムコードは、ここで説明される処理段階および計算段階、特に上述した方法を実行してよい。
【０１１４】
本開示の特定の特徴または態様がいくつかの実装のうち１つのみに関連して開示されたものであってよい一方、そのような特徴または態様は、任意の所与または特定の用途に所望され有利となり得るように、他の実装の１または複数の他の特徴または態様と組み合わされてよい。更に、用語「含む」、「有する」、「伴う」、またはそれらのその他の変形が、発明を実施するための形態または請求項のいずれかにおいて用いられる範囲内で、そのような用語は、用語「備える」と同様な態様で包括的であることが意図されている。また、用語「代表的な」、「例えば（ｆｏｒ  ｅｘａｍｐｌｅ）」、および「例えば（ｅ．ｇ．）」は、最善または最適であることを意味するのではなく、単に一例であることを意味するに過ぎない。用語「結合」および「接続」は、派生語と共に用いられていてよい。これらの用語は、２つの要素が、物理的または電気的に直接接触しているかまたは互いに直接接触していないかに関わらず、互いに協働または相互作用することを示すために用いられていてよいことを理解されたい。
【０１１５】
ここに具体的態様が示されて説明されてきたが、当業者であれば、様々な代替的および／または等価的な実装が、本開示の範囲から逸脱することなく、示され説明された具体的態様の代わりとなり得ることを理解されよう。本出願は、ここに説明される具体的態様の任意の適用例または変形例を包含することを意図している。
【０１１６】
以下の特許請求の範囲の要素は、対応する符号と共に特定の順序で記載されるが、特許請求の範囲の記載が、それらの要素の一部または全てを実装するための特定の順序を示唆しない限り、それらの要素は当該特定の順序で実装されるように限定することを必ずしも意図するわけではない。
【０１１７】
上記の教示を考慮して、多くの代替例、変更例、および変形例は、当業者であれば明らかであろう。もちろん、当業者であれば、本発明の多数の用途はここに説明されたものを越えて存在することを容易に認識する。本発明は、１または複数の特定の実施形態に関連して説明されているが、当業者であれば、多くの変更が本発明の範囲から逸脱することなくなされ得ることを認識する。従って、添付の特許請求の範囲およびそれらの均等物の範囲内で、本発明は、ここに具体的に説明された以外の態様で実施され得ることを理解されたい。
【図１】
2020504576.tif 000005
【図２】
2020504576.tif 000006
【図３】
2020504576.tif 000007
【図４】
2020504576.tif 000008
【図５】
2020504576.tif 000009
【図６】
2020504576.tif 000010
【図７】
2020504576.tif 000011
【図８】
2020504576.tif 000012
【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）であって、
前記ＵＥと無線アクセスネットワーク（ＲＡＮ）との間で無線リソース制御（ＲＲＣ）メッセージを送受信するように構成されている送受信機と、
非輻輳状況が前記ＲＡＮにより示される場合、ＲＲＣメッセージの第１シーケンスの処理に応じる前記ＵＥの動作モードをアクティブ化するように構成されている無線リソース制御装置と
を備え、
前記無線リソース制御装置は、特殊状況、特に輻輳状況または省電力状況が前記ＲＡＮにより示される場合、ＲＲＣメッセージの第２シーケンスの処理に応じる前記ＵＥの前記動作モードをアクティブ化するように構成され、
ＲＲＣメッセージの前記第２シーケンスの処理に対するレイテンシは、ＲＲＣメッセージの前記第１シーケンスを処理するためのレイテンシより低い、
ユーザ機器（ＵＥ）。
【請求項２】
ＲＲＣメッセージの前記第１シーケンスを処理することは、ページングメッセージング、ランダムアクセス（ＲＡ）メッセージング、ＲＲＣメッセージングおよびＲＡＮコンテキストフェッチングを含み、
ＲＲＣメッセージの前記第２シーケンスを処理することは、ＲＲＣメッセージングおよびＲＡＮコンテキストフェッチングを含む、請求項１に記載のＵＥ。
【請求項３】
前記無線リソース制御装置は、前記ＵＥの前記動作モードをアクティブ化するためのレイテンシを低減させるべく、ＲＲＣメッセージの前記第２シーケンスを処理する場合、ページングメッセージングおよびＲＡメッセージングを省略するように構成されている
請求項１または２に記載のＵＥ。
【請求項４】
前記ＵＥの前記動作モードは、前記ＵＥを前記ＲＡＮにアタッチすることにより、特にＲＲＣ接続非アクティブモードからＲＲＣ接続モードへの前記ＵＥの状態変化によりアクティブ化される、
請求項１から３のいずれか一項に記載のＵＥ。
【請求項５】
前記無線リソース制御装置は、輻輳状況または省電力状況が前記ＲＡＮにより示される場合、前記ＲＲＣ接続モードと前記ＲＲＣ接続非アクティブモードとの間の周期的な遷移をアクティブ化するように構成されている、
請求項４に記載のＵＥ。
【請求項６】
前記無線リソース制御装置は、輻輳状況または省電力状況が前記ＲＡＮにより示される場合、無線ベアラ、特に少なくとも１つの静的無線ベアラ（ＳＲＢ）および／または少なくとも１つの動的無線ベアラ（ＤＲＢ）を周期的にアクティブ化および解放するように構成されている、
請求項４または５に記載のＵＥ。
【請求項７】
前記送受信機は、特にバッファステータス報告（ＢＳＲ）情報およびタイミングアドバンス情報を含む測定報告をＲＲＣ接続モードの前記ＲＡＮに送信し、前記ＲＡＮが前記測定報告に基づいてＲＡＮコンテキストを更新することを可能にするように構成されている、
請求項４から６のいずれか一項に記載のＵＥ。
【請求項８】
前記無線リソース制御装置は、ステートマシンに基づいて前記ＵＥの前記動作モードを変更するように構成され、前記ステートマシンは、ＲＲＣメッセージの前記第２シーケンスの前記処理と関連付けられる半永続（ＳＰＳ）ＲＲＣモード、およびＲＲＣメッセージの前記第１シーケンスの前記処理と関連付けられる通常ＲＲＣモードを含む、
請求項１から７のいずれか一項に記載のＵＥ。
【請求項９】
前記無線リソース制御装置は、輻輳状況または省電力状況が前記ＲＡＮにより示される場合、前記ＳＰＳ  ＲＲＣモードを周期的にアクティブ化させるように構成されている、
請求項８に記載のＵＥ。
【請求項１０】
前記無線リソース制御装置は、第１タイマの第１タイマ終了イベントに応答して、前記ＵＥの前記動作モードを、前記ＳＰＳ  ＲＲＣモードから前記通常ＲＲＣモードに変更するように構成されている、
請求項９に記載のＵＥ。
【請求項１１】
前記第１タイマは、前記ＲＡＮにより設定可能である、
請求項１０に記載のＵＥ。
【請求項１２】
前記無線リソース制御装置は、前記ＵＥが前記ＳＰＳ  ＲＲＣモードにある場合、前記ＵＥの前記動作モードが、ＲＲＣ接続モードからＲＲＣ接続非アクティブモードへ変化することを周期的にアクティブ化するように構成されている、
請求項８から１１のいずれか一項に記載のＵＥ。
【請求項１３】
前記無線リソース制御装置は、第２タイマの第２タイマ終了イベントに応答して、前記ＵＥの前記動作モードを、前記ＲＲＣ接続非アクティブモードから前記ＲＲＣ接続モードに変更するように構成されている、
請求項１２に記載のＵＥ。
【請求項１４】
前記無線リソース制御装置は、無線ベアラ、特に少なくとも１つの静的無線ベアラ（ＳＲＢ）および／または少なくとも１つの動的無線ベアラ（ＤＲＢ）を、他のＵＥによる使用のために、前記第２タイマの作動中に解放するように構成されている、
請求項１３に記載のＵＥ。
【請求項１５】
前記無線リソース制御装置は、前記第２タイマ終了イベントに応答して、前記ＲＡＮとのＲＲＣ接続を再開するために、前記ＲＡＮにＲＲＣ接続再開リクエストメッセージを送信するように構成されている、
請求項１３または１４に記載のＵＥ。
【請求項１６】
前記無線リソース制御装置は、予め定義された無線リソースブロックおよび／またはグラントフリーサブキャリア多元接続（ＳＣＭＡ）に基づいて前記ＲＲＣ接続再開リクエストメッセージを送信するように構成されている、
請求項１５に記載のＵＥ。
【請求項１７】
無線アクセスネットワーク（ＲＡＮ）エンティティ、特に基地局（ＢＳ）であって、
ユーザ機器（ＵＥ）、特に請求項１から１６のいずれか一項に記載のＵＥと前記ＲＡＮエンティティとの間の無線リソース制御（ＲＲＣ）メッセージを送受信するように構成されている送受信機と、
前記ＲＡＮエンティティの特殊状況、特に輻輳状況または省電力状況を判定するように構成されている無線リソース制御装置と
を含み、
前記無線リソース制御装置は、非特殊状況、特に非輻輳状況または非省電力状況を前記ＵＥに示して、前記ＵＥが、ＲＲＣメッセージの第１シーケンスの処理に応じる前記ＵＥの動作モードをアクティブ化させることを可能にするように構成され、
前記無線リソース制御装置は、特殊状況、特に輻輳状況または省電力状況を前記ＵＥに示して、ＲＲＣメッセージの第２シーケンスの処理に応じる前記ＵＥが前記ＵＥの前記動作モードをアクティブ化させることを可能にするように構成され、
ＲＲＣメッセージの前記第２シーケンスの処理のためのレイテンシは、ＲＲＣメッセージの前記第１シーケンスの処理のためのレイテンシより少ない、
無線アクセスネットワーク（ＲＡＮ）エンティティ。
【請求項１８】
前記無線リソース制御装置は、
通信が行われる無線リソースにおけるエネルギーレベルを決定することに基づいて、特にチャネルビジー率（ＣＢＲ）に基づいて前記ＵＥのサイドリンク接続に対する前記輻輳状況を判定するように構成されている、請求項１７に記載のＲＡＮエンティティ。
【請求項１９】
前記無線リソース制御装置は、
前記ＵＥからＲＡＮコンテキストをフェッチし、前記ＵＥとのＲＲＣ接続を再開するために前記フェッチされたＲＡＮコンテキストの情報を用いるように構成されている、請求項１７または１８に記載のＲＡＮエンティティ。
【請求項２０】
前記無線リソース制御装置は、前記ＵＥからＲＡＮコンテキストをフェッチし、前記ＲＡＮコンテキストにより示されるリソースを他のＵＥに提供するために前記フェッチされたＲＡＮコンテキストの情報を用いるように構成されている、請求項１７または１８に記載のＲＡＮエンティティ。
【請求項２１】
前記無線リソース制御装置は、
前記ＵＥからフェッチされる前記ＲＡＮコンテキストの情報に基づく前記ＲＡＮにより格納されるＲＡＮコンテキストを更新するように構成されている、請求項１９または２０に記載のＲＡＮエンティティ。
【手続補正２】
【補正対象書類名】明細書
【補正対象項目名】全文
【補正方法】変更
【補正の内容】
【発明の詳細な説明】
【技術分野】
【０００１】
本開示は、無線アクセスネットワーク（ｒａｄｉｏ  ａｃｃｅｓｓ  ｎｅｔｗｏｒｋ、ＲＡＮ）により示される輻輳または省電力状況に基づいてユーザ機器（Ｕｓｅｒ  Ｅｑｕｉｐｍｅｎｔ、ＵＥ）の動作モードをアクティブ化させる無線リソース制御装置（ｒａｄｉｏ  ｒｅｓｏｕｒｃｅ  ｃｏｎｔｒｏｌｌｅｒ、ＲＲＣ）を備えるＵＥ、およびＵＥにそのような状況を示すＲＡＮエンティティに関する。  特に、本開示はＲＡＮにおける輻輳緩和、またマシンタイプ通信（ＭＴＣ）デバイス、特にセルラー支援型ビークルツーエニシング（ｃｅｌｌｕｌａｒ  ａｓｓｉｓｔｅｄ  ｖｅｈｉｃｌｅ‐ｔｏ‐ａｎｙｔｈｉｎｇ、Ｃ‐Ｖ２Ｘ）の省電力のための技術に関する。
【背景技術】
【０００２】
現在の無線通信ネットワークでは、基地局（ｂａｓｅ  ｓｔａｔｉｏｎ、ＢＳ）によってサポートされ得る接続ユーザの数は、以下で説明される通り、様々な要素によってかなり限定される。静的無線ベアラ（ｓｔａｔｉｃ  ｒａｄｉｏ  ｂｅａｒｅｒｓ、ＳＲＢ）および動的無線ベアラ（ｄｙｎａｍｉｃ  ｒａｄｉｏ  ｂｅａｒｅｒｓ、ＤＲＢ）を管理するための上位層セッション管理は、Ｑｕａｌｉｔｙ  ｏｆ  Ｓｅｒｖｉｃｅ（Ｑｕａｌｉｔｙ  ｏｆ  Ｓｅｒｖｉｃｅ、ＱｏＳ）基準に基づいてサポートされるベアラの最大の数を含む。低位層については、帯域幅、制御チャネル容量およびデータチャネル容量が限定される。ＣＰＵリソースについては、送信時間間隔（ｔｒａｎｓｍｉｓｓｉｏｎ  ｔｉｍｅ  ｉｎｔｅｒｖａｌ、ＴＴＩ）毎の最大ＵＥ処理時間が限定される。Ｃ-Ｖ２ｘネットワークにおいては、物理層におけるデータおよび制御チャネルについてＵｕリンクに輻輳があり得る。省電力モードの間に、周期的なデータ送信が周期的なデータ送信を行うＭＴＣデバイスに適用される。ＢＳがデバイスツーデバイス（ｄｅｖｉｃｅ‐ｔｏ‐ｄｅｖｉｃｅ、Ｄ２Ｄ）のユーザにリソース割り当てを提供するセルラー支援型ビークルツービークル（ｖｅｈｉｃｌｅ‐ｔｏ‐ｖｅｈｉｃｌｅ、Ｖ２Ｖ）接続においては、制御チャネル容量によってＵｕリンクに輻輳が起こり得て、次にリソースプールからの予め定義された割り当てを有するアドホックモード（ａｄ-ｈｏｃ  ｍｏｄｅ  ｗｉｔｈ  ｐｒｅ-ｄｅｆｉｎｅｄ  ａｌｌｏｃａｔｉｏｎ  ｆｒｏｍ  ｒｅｓｏｕｒｃｅ  ｐｏｏｌｓ、Ｍｏｄｅ‐２）において接続が確立される。モード２は、ＰＣ５帯域において非常に高い干渉および／または輻輳をもたらす可能性もある。時間領域でユーザをスケジューリングすることは、データチャネルについての問題の解決につながるが、レイテンシの増加につながるであろう。したがって、時間領域でのスケジューリングは、レイテンシの影響を受けにくいトラフィックには良いと思われるが、Ｖ２ｘトラフィックのほとんどはレイテンシの影響を受けやすい。
【０００３】
ビークルツ―エニシング（ｖｅｈｉｃｌｅ-ｔｏ-ａｎｙｔｈｉｎｇ、Ｖ２ｘ）シナリオにおいて、多くの車線を有する高速道路の渋滞などの状況が発生し、当該状況では、低移動度または中移動度のシナリオにおいてはあまり移動しない、またはゆっくり移動する多くの車両用ユーザ機器（ｖｅｈｉｃｕｌａｒ  ｕｓｅｒ  ｅｑｕｉｐｍｅｎｔｓ、Ｖ‐ＵＥ）があり、当該シナリオは、当該Ｖ‐ＵＥのほとんどが同一のセルに接続される必要があり、ＲＡＮの輻輳につながることを意味する。これらのＶ２ｘシナリオの場合、車両用ＵＥには基本的な安全メッセージの周期的な送信、およびクラウド等から情報のアップデートをダウンロードすることが必要であり、ネットワークとの接続を必要とする。
【０００４】
ＭＴＣデバイスの場合、電力および処理電力は限定されており、したがってＭＴＣデバイスのバッテリ寿命をより長い時間、例えばおよそ２０年に延長することが要求される。
【０００５】
したがって、Ｃ-Ｖ２ｘの場合には基地局における輻輳問題を解決することが必要であり、さらに、ＭＴＣシナリオにおいて周期的なデータ送信のための処理電力を節約してバッテリ寿命を延ばすことも必要である。 
【発明の概要】
【０００６】
本発明の目的は、モバイル通信システムにおける、特にセルラー支援型Ｖ２ｘ通信のための無線アクセスネットワークにおける上述の輻輳問題を解決する技術を提供することである。本発明の更なる目的は、ＭＴＣデバイスの処理電力を限定することによりこれらのＭＴＣデバイスのバッテリ寿命を延長する概念を提供することである。
【０００７】
この目的は、独立請求項に記載の特徴によって実現される。更なる実装形態は、従属請求項、発明を実施するための形態、および図から明らかである。
【０００８】
本発明の中心となる考えは、周期的なデータ送信に半永続または永続的な無線リソース制御（ｒａｄｉｏ  ｒｅｓｏｕｒｃｅ  ｃｏｎｔｒｏｌ、ＲＲＣ）モードを提供すること、およびＲＡＮにＵＥを再アタッチすることに係るレイテンシを低減することである。本発明を用いることによって、例えば、ページング、ランダムアクセス（ｒａｎｄｏｍ  ａｃｃｅｓｓ、ＲＡ）メッセージング、ＲＡＮコンテキストフェッチング、および無線リソース制御（ｒａｄｉｏ  ｒｅｓｏｕｒｃｅ  ｃｏｎｔｒｏｌ、ＲＲＣ）メッセージをやり取りする１．５ラウンドトリップタイム（ｒｏｕｎｄ  ｔｒｉｐ  ｔｉｍｅ、ＲＴＴ）を含む、レイテンシから、ＲＡＮコンテキストフェッチングおよびＲＲＣメッセージをやり取りする１．０ＲＴＴを含むレイテンシへの、レイテンシの低減が実現され得る。そのようなレイテンシの低減は、例えば以下に示されるように、ページング、およびＲＡメッセージを省略することにより実現され得る。しかしながら、トラフィックの量が非常に少なく、データ送信の周期的な性質を有し、フォローアップパケットを待たないＭＴＣデバイス特有の特性を考慮すると、ＲＲＣ接続状態で次のパケットを待つことは不必要なエネルギーの消費につながると予想される。
【０００９】
本開示は、この輻輳問題を解決する解決手段を提示する。次の４つの解決手段の態様は、以下に提示される。後述するように、第１解決手段の態様は、ＵＥ  ＲＲＣプロトコルに提供される半永続または永続的なタイマの助けによってネットワークにより速く再アタッチして、接続モードから接続非アクティブモードへのＵＥの周期的な遷移を行うための、基地局とＵＥとの間の無線リソース制御における新しいシグナリングおよびＵＥ挙動に関連する。後述するように、第２解決手段の態様は、格納されたＵＥコンテキスト情報からネットワークへの速いアクセスによって、ＲＡＮで制御されるＲＲＣ  ＳＰＳモードおよびＵＥで制御されるＲＲＣ  ＳＰＳモードを構成する新しい無線層メッセージに関連する。後述するように、第３解決手段の態様は、無線リソース制御における半永続的な遷移のアクティブ化、およびトラフィックパターンに基づくＢＳとＵＥとの間の遷移の周期性に関連する。後述するように、第４解決手段の態様は、ＵＥが接続モードにある場合、格納されたＲＡＮコンテキストを、測定報告から更新された情報で更新することに関連する。
【００１０】
以下で説明するように、開示されているＳＰＳ  ＲＲＣモードは重い負荷を経験しているＲＡＮにおける輻輳問題を解決でき、ネットワークに接続しクラウドからデータおよびアップデートを送信／受信したがる全てのＵＥに公平性を提供することができる。また、ＭＴＣデバイスはもはや、接続非アクティブモードにおいてページングメッセージがないかモニタリングする必要がないため、エネルギーの消費は低減される。以下に説明されるように、開示されている周期的ＲＲＣ  ＳＰＳモードは、過渡期間の間にＳＲＢ、ＤＲＢ、帯域幅、制御チャネル／データチャネルなどのリソースを利用しながら、輻輳したＵＥがネットワークにアクセスすることに役立つ。以下に説明されるように、開示されているＲＲＣモード用の半永続タイマは、軽量であり、ＵＥがＲＡＮメモリおよびトラフィックパターンで接続非アクティブモードから接続モードへより速く再アタッチすることをサポートする。トラフィックパターンは、トラフィックを待つこととページングを開始することの代わりに、ＳＰＳ  ＲＲＣ遷移を構成することで基地局により活用される。 
【００１１】
ここで説明されるデバイスおよびシステムは、無線通信ネットワーク、特にＬＴＥ、特にＬＴＥ‐Ａおよび／またはＯＦＤＭおよび第５世代などのモバイル通信規格に基づく通信ネットワークにおいて実装されてよい。ここで説明されるデバイスおよびシステムは、例えばロングタームエボリューション（Ｌｏｎｇ  Ｔｅｒｍ  Ｅｖｏｌｕｔｉｏｎ、ＬＴＥ）規格、またはその高度なバージョンであるＬＴＥ‐Ａなどのモバイル通信規格に従って設計されてよい。４Ｇおよび５ＧのＬＴＥ、ならびにそれ以降として販売されるＬＴＥは、携帯電話およびデータ端末用の高速データの無線通信の規格である。ここで説明されるデバイスは、ＯＦＤＭシステムに適用されてよく、ＯＦＤＭシステムでは、複数のキャリア周波数においてデジタルデータがエンコードされている。
【００１２】
ここで説明されるデバイスはさらに、基地局（またはＮｏｄｅＢまたはｅＮｏｄｅＢまたは無線セル）において、およびモバイルデバイスなどの通信デバイス（または移動局またはユーザ機器（Ｕｓｅｒ  Ｅｑｕｉｐｍｅｎｔｓ、ＵＥ））において、例えばネットワーク接続したデバイスが情報のやり取りを行うことと、人間の手動支援なしに動作を実行することを可能にするマシンツーマシン（ｍａｃｈｉｎｅ‐ｔｏ‐ｍａｃｈｉｎｅ、Ｍ２Ｍ）通信のシナリオにおいて、またはマシンタイプ通信（ｍａｃｈｉｎｅ‐ｔｙｐｅ  ｃｏｍｍｕｎｉｃａｔｉｏｎ、ＭＴＣ）または１つのモバイルデバイスは（基地局を横断する通信パス、または基地局を横断しない通信パスのどちらかを用いることによって）別のモバイルデバイスとの通信を行うデバイスツーデバイス（ｄｅｖｉｃｅ‐ｔｏ‐ｄｅｖｉｃｅ、Ｄ２Ｄ）通信、もしくはビークルツーエニシング（ｖｅｈｉｃｌｅ‐ｔｏ‐ａｎｙｔｈｉｎｇ、Ｖ２Ｘ）通信のシナリオにおいて実装されてよい。ビークルツーエブリシング（Ｖｅｈｉｃｌｅ-ｔｏ-ｅｖｅｒｙｔｈｉｎｇ、Ｖ２Ｘ）通信は、車両から、車両に影響し得る任意のエンティティへおよび、エンティティから車両へ情報を流すことである。 
【００１３】
ここで説明されるデバイスおよびシステムは、例えば「ｈｔｔｐｓ：／／ｍｅｔｉｓ−ｉｉ．５ｇ−ｐｐｐ．ｅｕ／ｗｐ−ｃｏｎｔｅｎｔ／ｕｐｌｏａｄｓ／ｐｕｂｌｉｃａｔｉｏｎｓ／２０１６／２０１６−０５−ＩＣＣ−Ａ−ｎｏｖｅｌ−ｓｔａｔｅ−ｍｏｄｅｌ−ｆｏｒ−５Ｇ−ｒａｄｉｏ−ａｃｃｅｓｓ−ｎｅｔｗｏｒｋｓ．ｐｄｆ」、「３ＧＰＰ  ＴＲ  ２３．７９９  −    Ｓｔｕｄｙ  ｏｎ  ａｒｃｈｉｔｅｃｔｕｒｅ  ｆｏｒ  ｎｅｘｔ  ｇｅｎｅｒａｔｉｏｎ  ｓｙｓｔｅｍ，  ｉｎ  ｐａｒｔｉｃｕｌａｒ  Ｓｅｃｔｉｏｎ  ６．３．５  ‐  ｃｏｎｔｅｘｔ  ｃｏｏｋｉｅ  ｃｒｅａｔｉｏｎ」、「３ＧＰＰ  ＴＳ  ２６．２１３  ‐進化型ユニバーサル地上無線アクセス  （Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ、  Ｅ−ＵＴＲＡ）；  Ｐｈｙｓｉｃａｌ  ｌａｙｅｒ  ｐｒｏｃｅｄｕｒｅｓ」、および「３ＧＰＰ  ＬＴＥ−Ｖ２Ｘ  Ｔｅｃｈｎｉｃａｌ  Ｒｅｐｏｒｔ：  ３ＧＰＰ  ３６．８８５：  ｈｔｔｐ：／／ｗｗｗ．ｔｅｃｈ−ｉｎｖｉｔｅ．ｃｏｍ／３ｍ３６／ｔｉｎｖ−３ＧＰＰ−３６−８８５．ｈｔｍｌ」による次世代（Ｎｅｘｔ  Ｇｅｎｅｒａｔｉｏｎ、ＮＧ）無線ネットワークに従って設計されてよい。
【００１４】
説明されているデバイスおよびシステムは、集積回路および／またはパッシブを含んでよく、様々な技術によって製造されてよい。例えば、回路は論理集積回路、アナログ集積回路、混合信号集積回路、光回路、メモリ回路、および／または統合パッシブとして設計されてよい。
【００１５】
ここで説明されるデバイスは、無線信号を送信および／または受信するように構成されてよい。無線信号は、無線送信デバイス（または無線送信機または発信機）により、およそ３ｋＨｚから３００ＧＨｚまでの範囲にある無線周波数で放射される無線周波数信号であってよく、または当該信号を含んでよい。周波数範囲は、電波を生成および検出するために用いられる交流電気信号の周波数に対応し得る。
【００１６】
本発明を詳細に説明すべく、以下の用語、略語および表記が用いられる。 ＲＡＮ：無線アクセスネットワークＲＲＣ：無線リソース制御または無線リソース制御装置ＭＴＣ：マシンタイプ通信（デバイス）Ｍ２Ｍ：マシンツーマシン（通信）Ｄ２Ｄ：デバイスツーデバイスＶ２Ｘ：ビークルツーエブリシングＶ２Ｖ：ビークルツービークルＯＦＤＭ：直交周波数分割多重ＢＳ：基地局、ｅＮｏｄｅＢ、ｅＮＢ、無線セルＵＥ：ユーザ機器、例えばモバイル通信デバイスまたはマシンタイプ通信デバイス４Ｇ：３ＧＰＰ規格化による第４世代５Ｇ：３ＧＰＰ規格化による第５世代ＬＴＥ：ロングタームエボリューションＲＦ：無線周波数ＤＲＸ：不連続的な受信ＲＬＦ：無線リンク障害ＳＰＳ：半永続的なＲＡ：ランダムアクセスＣＮ：Ｃｏｒｅ  ＮｅｔｗｏｒｋＳＲＢ：静的無線ベアラＤＲＢ：動的無線ベアラＲＴＴ：ラウンドトリップタイム
【００１７】
第１態様によると、本発明は、ユーザ機器（ｕｓｅｒ  ｅｑｕｉｐｍｅｎｔ、ＵＥ）であって、ＵＥと無線アクセスネットワーク（ｒａｄｉｏ  ａｃｃｅｓｓ  ｎｅｔｗｏｒｋ、ＲＡＮ）との間で無線リソース制御（ｒａｄｉｏ  ｒｅｓｏｕｒｃｅ  ｃｏｎｔｒｏｌ、ＲＲＣ）メッセージを送受信するように構成されている送受信機と、非輻輳状況がＲＡＮにより示される場合、ＲＲＣメッセージの第１シーケンスの処理に応じるＵＥの動作モードをアクティブ化するように構成されている無線リソース制御装置とを備え、無線リソース制御装置は、ＲＡＮにより特殊状況、特に輻輳状況または省電力状況が示される場合、ＲＲＣメッセージの第２シーケンスの処理に応じるＵＥの動作モードをアクティブ化するように構成され、ＲＲＣメッセージの第２シーケンスの処理に対するレイテンシは、ＲＲＣメッセージの第１シーケンスを処理するためのレイテンシより少ない、ユーザ機器（ＵＥ）に関する。
【００１８】
第２シーケンスが、ＲＲＣメッセージの第１シーケンスより処理レイテンシの低い第２シーケンスを輻輳または省電力状況においてＲＲＣメッセージの処理することにより、このレイテンシ低減はより速い処理につながり、従って輻輳の解決につながる。輻輳状態または低電力状況が終了すると、それがＲＡＮにより判定されＵＥに示され得て、ＵＥは、より高いレイテンシ要求を有するＲＲＣメッセージの第１シーケンス（ＲＲＣメッセージの第１シーケンスは、常に接続モードにあることを意味する）を処理するための通常状態に変化し得る。しかしながら、これらのより高いレイテンシ要求は通常状況において満され得る。通常状況では、輻輳が検出されることはなく、またはＵＥが低電力モードにあることもない。 
【００１９】
第１態様によるＵＥの第１の可能な実装形態において、ＲＲＣメッセージの第１シーケンスを処理することは、ページングメッセージング、ランダムアクセス（ｒａｎｄｏｍ  ａｃｃｅｓｓ、ＲＡ）メッセージング、ＲＲＣメッセージングおよびＲＡＮコンテキストフェッチングを含み、ＲＲＣメッセージの第２シーケンスを処理することは、ＲＲＣメッセージングおよびＲＡＮコンテキストフェッチングを含む。
【００２０】
これは、輻輳または低電力状況において、輻輳を軽減すべく、ＲＲＣメッセージングおよびＲＡＮコンテキストフェッチングである必要なメッセージのみが処理され、一方で、通常状況、即ち、輻輳でも低電力でもない状態では、ＵＥの変化性を改善するために更なるメッセージが処理されるという利点を提供する。
【００２１】
そのような第１態様による、またはＵＥの第１の実装形態によるＵＥの第２の可能な実装形態において、無線リソース制御装置は、ＵＥの動作モードをアクティブ化するレイテンシを低減すべく、ＲＲＣメッセージの第２シーケンスを処理する場合、ページングメッセージングおよびＲＡメッセージングを省略するように構成されている。
【００２２】
これは、ページングメッセージングおよびＲＡメッセージングを省略することが、輻輳を軽減すべく、輻輳または低電力状況にある場合、レイテンシを低減するという利点を提供する。これは、ＵＥがトラフィックを待つ時間、およびページングを開始する時間を省く。
【００２３】
そのような第１態様による、またはＵＥの上述の実装形態のいずれかによるＵＥの第３の可能な実装形態においては、ＲＡＮにＵＥをアタッチすることにより、特にＲＲＣ接続非アクティブモードからＲＲＣ接続モードへのＵＥの状態変化によりＵＥの動作モードがアクティブ化される。
【００２４】
これは、ＵＥがＲＡＮ（接続モード）にアタッチされ、輻輳につながり得る多くのメッセージを受信している場合に輻輳の軽減が実行され得るという利点を提供する。もう一方の状況にある間は、ＵＥがＲＡＮにアタッチされていない場合（接続非アクティブモード）であり、メッセージが受信されず、輻輳が起こることもないと考えられるので、輻輳の軽減は必要ではない。
【００２５】
ＵＥの第３の実装形態によるＵＥの第４の可能な実装形態において、無線リソース制御装置は、ＲＡＮにより輻輳状況または省電力状況が示される場合、ＲＲＣ接続モードとＲＲＣ接続非アクティブモードとの間の周期的な遷移をアクティブ化するように構成されている。
【００２６】
これは、ＲＲＣ接続モードとＲＲＣ接続非アクティブモードとの間の周期的な遷移が、基地局（またはＲＡＮ）が全ての輻輳したＵＥにデータを送信する機会を提供し、従って輻輳を軽減または少なくとも低減することに役立つという利点を提供する。 
【００２７】
ＵＥの第３または第４の実装形態によるＵＥの第５の可能な実装形態において、無線リソース制御装置は、ＲＡＮにより輻輳状況または省電力状況が示される場合、無線ベアラ、特に少なくとも１つの静的無線ベアラ（ｓｔａｔｉｃ  ｒａｄｉｏ  ｂｅａｒｅｒ、ＳＲＢ）および／または少なくとも１つの動的無線ベアラ（ｄｙｎａｍｉｃ  ｒａｄｉｏ  ｂｅａｒｅｒ、ＤＲＢ）を周期的にアクティブ化および解放するように構成されている。
【００２８】
これは、無線ベアラの周期的なアクティブ化および解放は、基地局（またはＲＡＮ）が全ての輻輳したＵＥにデータを送信する機会を提供し、従って輻輳を軽減または少なくとも低減することに役立つという利点を提供する。これは、過渡期間の間にＳＲＢおよびＤＲＢなどのリソースを利用しながら、輻輳したＵＥがネットワークにアクセスすることに役立つ。
【００２９】
ＵＥの第３から第５の実装形態のいずれかによるＵＥの第６の可能な実装形態において、送受信機は、特にバッファステータス報告（ｂｕｆｆｅｒ  ｓｔａｔｕｓ  ｒｅｐｏｒｔ、ＢＳＲ）情報およびタイミングアドバンス情報を含む測定報告をＲＲＣ接続モードのＲＡＮに送信して、ＲＡＮが測定報告に基づいてＲＡＮコンテキスト更新することを可能にするように構成されている。
【００３０】
これは、測定報告を用いることによって、ＲＡＮがＲＡＮコンテキストを更新できるという利点を提供する。したがって、現在のＲＡＮコンテキストを省き、後の段階で再取得することができる。ＲＡＮコンテキストを更新する場合、ＲＡＮはスクラッチから開始する必要がなく、これはシグナリングメッセージを省き、従ってレイテンシを低減する。 
【００３１】
そのような第１態様による、またはＵＥの上述の実装形態のいずれかによるＵＥの第７の可能な実装形態において、無線リソース制御装置は、ステートマシンに基づいてＵＥの動作モードを変更するように構成され、ステートマシンは、ＲＲＣメッセージの第２シーケンスの処理と関連付けられる半永続（ｓｅｍｉ‐ｐｅｒｓｉｓｔｅｎｔ、ＳＰＳ）ＲＲＣモード、およびＲＲＣメッセージの第１シーケンスの処理と関連付けられる通常ＲＲＣモードを含む。
【００３２】
これは、ＵＥの動作モードのアクティブ化が、ステートマシンの実装により、例えばソフトウェアとしてアルゴリズムによって、またはハードウェアによって簡単に実行できるという利点を提供する。そのようなステートマシンは、ＵＥとＲＡＮとの間の通信を簡単にモデル化できる。 
【００３３】
ＵＥの第７の実装形態によるＵＥの第８の可能な実装形態において、無線リソース制御装置は、ＲＡＮにより輻輳状況または省電力状況が示される場合、ＳＰＳ  ＲＲＣモードを周期的にアクティブ化するように構成されている。
【００３４】
ＳＰＳ  ＲＲＣモードのこの周期的なアクティブ化は、輻輳を軽減すべく、輻輳したＵＥがネットワークにアクセスすることに役立つ。
【００３５】
ＵＥの第８の実装形態によるＵＥの第９の可能な実装形態において、無線リソース制御装置は、第１タイマの第１タイマ終了イベントに応答してＵＥの動作モードを、ＳＰＳ  ＲＲＣモードから通常ＲＲＣモードに変更するように構成されている。
【００３６】
これは、ＳＰＳ  ＲＲＣモードと通常ＲＲＣモードとの間の遷移の周期が第１タイマを調整することにより設定され得るという利点を提供する。
【００３７】
ＵＥの第９の実装形態によるＵＥの第１０の可能な実装形態において、第１タイマはＲＡＮにより設定可能である。
【００３８】
これは、ＳＰＳ  ＲＲＣモードと通常ＲＲＣモードとの間の遷移の周期が、例えばトラフィック状況および事業者により決定される要求に応じて、ＲＡＮにより設定され得るという利点を提供する。
【００３９】
ＵＥの第７から第１０の実装形態のいずれかによるＵＥの第１１の可能な実装形態において、無線リソース制御装置は、ＵＥがＳＰＳ  ＲＲＣモードにある場合、ＵＥの動作モードをＲＲＣ接続モードからＲＲＣ接続非アクティブモードに変更することを周期的にアクティブ化するように構成されている。
【００４０】
これは、ＲＲＣ通常モードと同一の状態の「ＲＲＣ接続モード」および「ＲＲＣ接続非アクティブモード」がＳＰＳ  ＲＲＣモードにおいても利用可能になり、これら２つの状態の間の遷移のみがＲＲＣ通常モードと異なるという利点を提供する。
【００４１】
ＵＥの第１１の実装形態によるＵＥの第１２の可能な実装形態において、無線リソース制御装置は、第２タイマの第２タイマ終了イベントに応答して、ＵＥの動作モードを、ＲＲＣ接続非アクティブモードからＲＲＣ接続モードに変更するように構成されている。
【００４２】
これは、ＳＰＳ  ＲＲＣモードにおけるＲＲＣ接続非アクティブモードとＲＲＣ接続モードとの間の遷移の周期が第２タイマを調整することにより設定され得るという利点を提供する。
【００４３】
ＵＥの第１２の実装形態によるＵＥの第１３の可能な実装形態において、無線リソース制御装置は、無線ベアラ、特に少なくとも１つの静的無線ベアラ（ｓｔａｔｉｃ  ｒａｄｉｏ  ｂｅａｒｅｒ、ＳＲＢ）および／または少なくとも１つの動的無線ベアラ（ｄｙｎａｍｉｃ  ｒａｄｉｏ  ｂｅａｒｅｒ、ＤＲＢ）を、他のＵＥによる使用のために、第２タイマの作動中に解放するように構成されている。
【００４４】
これは、無線ベアラを解放することにより他の輻輳したＵＥがこれらの無線ベアラを取得して、ＲＡＮにアタッチし、輻輳を解決できるという利点を提供する。
【００４５】
ＵＥの第１２または第１３の実装形態によるＵＥの第１４の可能な実装形態において、無線リソース制御装置は、第２タイマ終了イベントに応答して、ＲＡＮとのＲＲＣ接続を再開するためにＲＡＮにＲＲＣ接続再開リクエストメッセージを送信するように構成されている。 
【００４６】
これは、ＲＡＮにＲＲＣ接続再開リクエストメッセージを送信することにより、ＵＥがＲＲＣ  ＳＰＳモードを制御し得る、即ち、ＵＥで制御されるＲＲＣ  ＳＰＳモードがＲＡＮで制御されるＲＲＣ  ＳＰＳモードのそばに提供され得るという利点を提供する。
【００４７】
ＵＥの第１４の実装形態によるＵＥの第１５の可能な実装形態において、無線リソース制御装置は、予め定義された無線リソースブロックおよび／またはグラントフリーサブキャリア多元接続（ｓｕｂｃａｒｒｉｅｒ  ｍｕｌｔｉｐｌｅ  ａｃｃｅｓｓ、ＳＣＭＡ）に基づいてＲＲＣ接続再開リクエストメッセージを送信するように構成されている。 
【００４８】
これは、他のＵＥに割り当てられている時間／周波数リソースと、物理層においてＲＲＣ接続再開リクエストメッセージが衝突する可能性が回避され得るという利点を提供する。したがって、緊急状況の間に必要になり得るネットワークへの速いアクセスが実現され得る。
【００４９】
第２態様によると、本発明は、ユーザ機器（ｕｓｅｒ  ｅｑｕｉｐｍｅｎｔ、ＵＥ）、特に請求項１から１６のいずれか一項に記載のＵＥとＲＡＮエンティティとの間の無線リソース制御（ｒａｄｉｏ  ｒｅｓｏｕｒｃｅ  ｃｏｎｔｒｏｌ、ＲＲＣ）メッセージを送受信するように構成されている送受信機と、ＲＡＮエンティティの特殊状況、特に輻輳状況または省電力状況を判定するように構成されている無線リソース制御装置とを含む無線アクセスネットワーク（ｒａｄｉｏ  ａｃｃｅｓｓ  ｎｅｔｗｏｒｋ、ＲＡＮ）エンティティ、特に基地局（ｂａｓｅ  ｓｔａｔｉｏｎ、ＢＳ）であって、無線リソース制御装置は、非特殊状況、特に非輻輳状況または非省電力状況をＵＥに示して、ＵＥが、ＲＲＣメッセージの第１シーケンスの処理に応じるＵＥの動作モードをアクティブ化させることを可能にするように構成され、無線リソース制御装置は、特殊状況、特に輻輳状況または省電力状況をＵＥに示され得て、ＵＥが、ＲＲＣメッセージの第２シーケンスの処理に応じるＵＥの動作モードをアクティブ化させることを可能にするように構成され、ＲＲＣメッセージの第２シーケンスの処理のためのレイテンシは、ＲＲＣメッセージの第１シーケンスの処理のためのレイテンシより少ないＲＡＮエンティティに関する。
【００５０】
第２シーケンスが、ＲＲＣメッセージの第１シーケンスより処理レイテンシの低い第２シーケンスを輻輳または省電力状況においてＲＲＣメッセージの処理することにより、このレイテンシ低減はより速い処理につながり、従って輻輳の解決につながる。輻輳状態または低電力状況が終了すると、それがＲＡＮにより判定されＵＥに示され得て、ＵＥは、より高いレイテンシ要求を有するＲＲＣメッセージの第１シーケンス（ＲＲＣメッセージの第１シーケンスは、常に接続モードにあることを意味する）を処理するための通常状態に変化し得る。しかしながら、これらのより高いレイテンシ要求は通常状況において満され得る。通常状況では、輻輳が検出されることはなく、またはＵＥが低電力モードにあることもない。
【００５１】
第２態様によるＲＡＮエンティティの第１の可能な実装形態によると、無線リソース制御装置は、通信が行われる無線リソースにおけるエネルギーレベルを決定することに基づいて、特にチャネルビジー率（ｃｈａｎｎｅｌ  ｂｕｓｙ  ｒａｔｉｏ、ＣＢＲ）に基づいてＵＥのサイドリンク接続に対する輻輳を判定するように構成されている。これは、輻輳状況を検出する簡単且つ効果的な手段という利点を提供する。
【００５２】
そのような第２態様による、または第２態様の第１の実装形態によるＲＡＮエンティティの第２の可能な実装形態において、無線リソース制御装置は、ＵＥからＲＡＮコンテキストをフェッチして、ＵＥに対するＲＲＣ接続を再開するためにフェッチされたＲＡＮコンテキストの情報を用いるように構成されている。
【００５３】
これは、ＲＡＮエンティティが、ＵＥに対するＲＲＣ接続を再開するために、格納されたＲＡＮコンテキストを用いることができるという利点を提供する。格納されたＲＡＮコンテキストを用いることによって、ＲＡＮはスクラッチから開始する必要がなく、これはシグナリングメッセージを省き、従ってレイテンシを低減させる。 
【００５４】
そのような第２の態様による、または第２態様の第１の実装形態によるＲＡＮエンティティの第３の可能な実装形態において、無線リソース制御装置は、ＵＥからＲＡＮコンテキストをフェッチして、他のＵＥにＲＡＮコンテキストにより示されるリソースを提供するためにフェッチされたＲＡＮコンテキストの情報を用いるように構成されている。
【００５５】
これは、ＲＡＮエンティティが、フェッチされたＲＡＮコンテキストから情報を、他のＵＥにリソースを提供するために利用し得るという利点を提供する。したがって、他のＵＥと接続している場合、ＲＡＮエンティティはスクラッチから開始する必要がなく、これはシグナリングメッセージを省き、従ってレイテンシを低減させる。 
【００５６】
第２態様の第２または第３の実装形態によるＲＡＮエンティティの第４の可能な実装形態において、無線リソース制御装置は、ＵＥからフェッチされたＲＡＮコンテキストの情報に基づいてＲＡＮにより格納されるＲＡＮコンテキストを更新するように構成されている。 
【００５７】
これは、ＵＥからフェッチされるＲＡＮコンテキストの情報に基づいてＲＡＮにより格納されたＲＡＮコンテキストを更新することにより、ＲＡＮにより格納されたＲＡＮコンテキストは、ＲＲＣ接続の実際状況を示すという利点を提供する。ＲＡＮエンティティは、通信システムにおける変化にすぐに反応できる。
【図面の簡単な説明】
【００５８】
本発明の更なる実施形態が、以下の図に関連して説明される。 
【図１】５Ｇ  ＲＡＮ設計によるＵＥの状態遷移を示す状態図１００である。
【図２】ＬＴＥ  ＲＡＮ設計によるＵＥの状態遷移を示す状態図２００である。
【図３】５Ｇ  ＲＡＮ設計による、ＵＥ３１０と５Ｇ  ＲＡＮ３２０と５Ｇコアネットワーク（ＣＮ）３３０との間のメッセージングを示すメッセージシーケンス図３００である。
【図４】本開示によるＵＥの状態遷移を示す状態図４００である。
【図５】ＲＲＣ  ＳＰＳモード４４０がＲＡＮ３２０により制御される場合の、本開示による、ＵＥ３１０と５Ｇ  ＲＡＮ３２０と５Ｇコアネットワーク（ＣＮ）３３０との間のメッセージングを示すメッセージシーケンス図５００である。
【図６】ＲＲＣ  ＳＰＳモード４４０がＵＥ３１０により制御される場合の、本開示による、ＵＥ３１０と５Ｇ  ＲＡＮ３２０と５Ｇコアネットワーク（ＣＮ）３３０との間のメッセージングを示すメッセージシーケンス図６００である。
【図７】本開示によるユーザ機器７００を示す概略図である。
【図８】本開示によるＲＡＮエンティティ８００、例えば基地局を示す概略図である。
【発明を実施するための形態】
【００５９】
以下の詳細な説明において、その一部分を形成する添付図面を参照し、本開示が実施され得る具体的態様を実例として示す。他の態様が利用されてよく、本開示の範囲から逸脱することなく、構造的または論理的変更がなされてよいこととが理解される。以下の詳細な説明は、従って、限定的な意味にとらえられるべきものではなく、本開示の範囲は、添付の特許請求の範囲によって定義される。
【００６０】
記載される方法に関してなされた解説はまた、当該方法を実行するように構成された対応するデバイスまたはシステムに関して当てはまる可能性があり、逆も同様であることと理解される。例えば、特定の方法の段階が説明される場合、対応するデバイスは、説明される方法の段階を実行するユニットを、そのようなユニットが明確に説明されていないまたは図面に示されていない場合であっても、含んでよい。さらに、ここで説明される様々な例示的態様の特徴は、具体的にそうでないことが示されない限り、互いに組み合わせられてよいことと理解される。
【００６１】
図１は、５Ｇ  ＲＡＮ設計によるＵＥの状態遷移を示す状態図１００である。 
【００６２】
ステートモデル１００は、効率的なＵＥスリープ、スリープ状態からアクティブ状態への高速且つ軽量な遷移、および共同アクセス最適化を可能にする５Ｇアクセスのために導入される。ステートモデル１００は、アイドルモード（ＲＲＣ＿ＩＤＬＥ）１１０、接続モード（ＲＲＣ＿ＣＯＮＮＥＣＴＥＤ）１２０、および接続非アクティブモード（ＲＲＣ＿ＣＯＮＮＥＣＴＥＤ＿ＩＮＡＣＴＩＶＥ）１３０の３つの状態で構成される。ステートモデル１００において、主に第１の初期アクセス（例えば、ＵＥがネットワークにアタッチする場合）の間に、またはフォールバックの場合（例えば、デバイスおよび／またはネットワークが、前もって格納されたＲＡＮコンテキストを用いることができない場合）として、接続セットアップ１１１およびデタッチ／ＲＬＦ１２１から、アイドルモード１１０から接続モード１２０に、そしてアイドルモード１１０に戻る状態遷移が発生すると予想される。その結果、この遷移はＬＴＥの場合ほど多く発生しないは予想される。
【００６３】
一方で、接続非アクティブモード１３０から接続モード１２０に遷移し、接続非アクティブモード１３０に戻るトラフィック到達、ページング１３１およびＲＲＣ非アクティブタイマ１２２という遷移はかなり多く発生すると予想され、軽量且つ高速の遷移として最適化されるべきである。この最適化の手順の詳細は、以下に説明される。
【００６４】
無線リンク障害（Ｒａｄｉｏ  Ｌｉｎｋ  Ｆａｉｌｕｒｅ、ＲＬＦ）１１３という更なる遷移は、接続非アクティブモード１３０とアイドルモード１１０との間の遷移である。この遷移はほとんど発生しないと予想される。ＲＬＦ１１３が起こる場合、ＵＥはＲＲＣ接続再確立手順を開始し、ＲＲＣ接続の解放について上位層に通知するものとする。
【００６５】
図２は、ＬＴＥ  ＲＡＮ設計によるＵＥの状態遷移を示す状態図２００である。現在、ＬＴＥは「アイドルモード」２１０、「接続モード」２２０、および「ＤＲＸ状態」２３０、これらの３つの異なる状態をサポートする。アイドルモード２１０では、ＵＥ位置は、ＲＡＮでは知られていなく、接続モード２２０では、ＵＥは進行中のＲＡＮ接続を有する。アイドルモード２１０から接続モード２２０への移行はページングによるもので、接続セットアップ２１１およびアイドルモード２１０に戻る移行はデタッチング、ＲＬＦまたはＲＲＣ非アクティブタイマ２２１によるものである。
【００６６】
「アイドルモード」２１０において、ＵＥがスリープ中の場合は、コアネットワーク（Ｃｏｒｅ  Ｎｅｔｗｏｒｋ、ＣＮ）コンテキストのみが格納される。ＵＥおよびネットワークは、この状態に移動する場合、ＲＡＮコンテキスト情報を破棄する。ＵＥは、トラッキングエリアレベルでのみネットワークに知られており、ネットワークに通知することなくトラッキングエリアに属するセル内において移動してよい。というものの、ＵＥは、ネットワークにより提供される構成に基づくセルの再選択手順により最善なセルにキャンプするのであろう。 
【００６７】
接続モード２２０において、ＵＥはセルレベルで知られており、移動度は完全に（ハンドオーバーによって）ネットワークで制御される。ＲＡＮコンテキストは存在する。この状態２２０において、ＤＲＸ状態２３０への遷移（例えば、ＤＲＸ非アクティブタイマ２２２に応じて）は、より有効なリソースの利用に係る、データバースト間のマイクロスリープ期間２４０のために用いられる。例えば、ウェブセッションの間に、ダウンロードされたウェブページをユーザが読んでいる間に、リソースを浪費して継続的にダウンリンクチャネル（例えば、ＰＤＣＣＨ）をモニタリングするのではなく、ＤＲＸサイクルを短くすることで、データ転送が再開（トラフィック到達、ページング２３１）された場合、より速い応答を可能にし得る。一方で、トラフィック需要の不明確さによって、ＤＲＸ状態２３０は、ネットワークがＵＥに到達したい場合（例えば、受信しているトラフィックがある場合）に遅延につながり得る。ＤＲＸサイクルは、ＵＥがダウンリンクチャネルおよび物理信号をモニタリング（他のアクションの中でもとりわけページングによってネットワークがＵＥに到達できるように）する「ｏｎ期間」およびＵＥがその受信機をオフに切り替えることができる場合の「スリープ期間」で構成される。 
【００６８】
図３は、５Ｇ  ＲＡＮ設計による、ＵＥ３１０と５Ｇ  ＲＡＮ３２０と５Ｇコアネットワーク（Ｃｏｒｅ  Ｎｅｔｗｏｒｋ、ＣＮ）３３０との間のメッセージングを示すメッセージシーケンス図である。
【００６９】
アクティブＲＲＣ接続３１１が、ＵＥ３１０と５Ｇ  ＲＡＮ３２０との間に確立した場合、この接続に関連するＲＡＮコンテキスト識別３２１は、図１に関連して上述した状態図１００の接続モード１２０に従って、５Ｇ  ＲＡＮ３２０、および接続モード３１２にあるＵＥ３１０に提供される。 
【００７０】
ＵＥ３１０と５Ｇ  ＲＡＮ３２０との間のＲＲＣ接続が非アクティブ化される場合３１３、ＣＮ／ＲＡＮ接続は５Ｇ  ＲＡＮ３２０とＣＮ３３０との間で維持され、このＲＲＣ接続に関連するＲＡＮコンテキストは５Ｇ  ＲＡＮ３２０により格納３２３され、この接続に関連するＲＡＮコンテキスト識別３１４はＵＥ３１０に提供される。 
【００７１】
ＲＲＣ接続の更なるアクティブ化のために、第１メッセージシーケンス３２８としてもここで称される、次のメッセージシーケンスが実行される。ページングメッセージ３２４が、５Ｇ  ＲＡＮ３２０からＵＥ３１０に送出される。ＵＥ３１０は、ランダムアクセス（ｒａｎｄｏｍ  ａｃｃｅｓｓ、ＲＡ）プリアンブル３１５を、５Ｇ  ＲＡＮ３２０に送出し、５Ｇ  ＲＡＮ３２０はＲＡ応答３２５で応答する。ＳＲＢ０メッセージおよびＲＡＮコンテキスト３１４のコンテキストＩＤを有するＲＲＣ接続要求再開メッセージ３１６が、ＵＥ３１０から５Ｇ  ＲＡＮ３２０に送出されて、５Ｇ  ＲＡＮ３２０がＲＡＮコンテキストをフェッチすること３２６を可能にする。次に５Ｇ  ＲＡＮ３２０は、静的無線ベアラ（ｓｔａｔｉｃ  ｒａｄｉｏ  ｂｅａｒｅｒｓ、ＳＲＢ）および動的無線ベアラ（ｄｙｎａｍｉｃ  ｒａｄｉｏ  ｂｅａｒｅｒｓ,ＤＲＢ）の構成を有するＲＲＣ接続再開メッセージ３２７をＵＥ３１０に送出し、ＵＥ３１０は、ＲＲＣ接続再開完了メッセージ３１７で応答する。これは、新しいアクティブＲＲＣ接続３１８が確立されたことを示す。第１メッセージシーケンス３２８の、即ち、ＲＲＣ接続の再アタッチに対するレイテンシは、ページング、ＲＡ遅延、ＲＡＮコンテキストフェッチング遅延、およびＲＲＣメッセージやり取りのための１．５ラウンドトリップタイム（ｒｏｕｎｄ  ｔｒｉｐ  ｔｉｍｅ、ＲＴＴ）による期間（ｄｕｒａｔｉｏｎ  ｏｆ）に相当する。
【００７２】
図１に関連して上述したＲＲＣ接続非アクティブモード１３０は、ＭＴＣのための拡張されたＤＲＸモードの一部として、５Ｇ  ＲＡＮ２において議論中である。接続非アクティブモード１３０の間に、専用のＳＲＢおよびＤＲＢ接続が解放されるが、ＲＡＮ３２０とＣＮ３３０との間の接続は、図３に示されるように保持３２２される。ページングメッセージ３２４がＲＡＮ３２０に到達した場合、接続要求再開３１６（再アクティブ化）が開始されて、ＳＲＢおよびＤＲＢを再設定する。
【００７３】
接続非アクティブモード１３０から接続モード１２０への遷移は、トラフィック到着およびページング１３１に基づく。接続モード１２０から接続非アクティブモード１３０への遷移は、ユーザプレーントラフィックがないことをネットワークが偶然検出した場合のＲＲＣ非アクティブタイマ１２２に基づく。輻輳シナリオの間のページングおよびランダムアクセス（図３に示されるメッセージ３２４、３１５、３２５）によるレイテンシは、Ｖ２ｘの場合、非常に高い。
【００７４】
非アクティブタイマに依存し、ユーザデータが到達する場合にページングを開始する代わりに、輻輳シナリオの間に、より有効にＲＡＮメモリおよびトラフィックパターンを活用することにより、著しい改善が行われ得る。この改善は、図４から図６に関連して後述するように、「半永続モード」４４０と呼ばれる更なる状態を含む変更状態図４００に関する。
【００７５】
図４は、本開示によるＵＥの状態遷移を示す状態図４００である。
【００７６】
この状態図４００は、図１に関連して上述した状態図１００の状態および状態遷移を含み、さらに、図１に関連して上述した接続モード１２０および接続非アクティブモード１３０の２つの状態に対応する接続モード４２０および接続非アクティブモード４３０を含む「半永続（ｓｅｍｉ‐ｐｅｒｓｉｓｔｅｎｔ、ＳＰＳ）モード」４４０と呼ばれる追加の状態を含む。ＳＰＳ  ＲＲＣモード４４０は、第１タイマ（Ｔｉｍｅｒ１）に依存して輻輳の間に特定の間隔でアクティブ化４４１される。即ち、Ｔｉｍｅｒ１はＳＰＳ  ＲＲＣモード４４０をアクティブ化する間隔を指定する。ＳＰＳ  ＲＲＣモード４４０において、接続モード４２０と接続非アクティブモード４３０との間の遷移は第２タイマ（Ｔｉｍｅｒ２）により制御される。タイマ２は、接続モード４２０から接続非アクティブモード４３０への遷移４２１の周期を指定する。タイマ２の満了４３１は、接続非アクティブモード４３０から接続モード４２０に戻る遷移につながる。
【００７７】
ＳＰＳ  ＲＲＣモード４４０の非アクティブ化４４３は、ＳＰＳモード４４０から通常状態図１００の接続モード１２０に戻る遷移につながる一方、ＳＰＳ  ＲＲＣモード４４０における無線リンク障害（ｒａｄｉｏ  ｌｉｎｋ  ｆａｉｌｕｒｅ、ＲＬＦ）状況は、ＳＰＳモード４４０から通常状態図１００のアイドルモード１１０に戻る遷移を引き起こす。
【００７８】
上述したＳＰＳ  ＲＲＣモード４４０をアクティブ化させることにより、次の利点が実現され得る。重渋滞のシナリオにおいては、ＵＥがほぼ静止しているかまたはゆっくり移動して、タイミングアドバンス（ｔｉｍｉｎｇ  ａｄｖａｎｃｅ、ＴＡ）の非常に小さい変化につながり、ＢＳが上記理由に起因する重い負荷を感知すると、半永続ＲＲＣモード４４０をトリガーし得る。別のシナリオでは、ＢＳがＳＰＳ  ＲＲＣモード４４０をトリガーして、省電力モードの間の周期的なダウンリンクおよびアップリンクの小データ送信をトリガーする。エネルギーの消費を最小化するために、ＳＰＳ  ＲＲＣモードはアクティブ化され得る。当該モードでは、ＭＴＣデバイスはネットワークからのページングメッセージをモニタリングすることを回避することで、周期的な状態遷移を行うことができる。図４に示されるように、半永続モード４４０は、ＲＲＣ接続モード４２０と接続非アクティブモード４３０との間の周期的な遷移を管理する。半永続ＲＲＣモード４４０における専用のＳＲＢ＆ＤＲＢの周期的なアクティブ化および解放は、ＢＳが全ての輻輳したＵＥがデータを送信する機会を提供することを助けることができる。ＲＡＮメモリおよび周期的なトラフィックパターンは、半永続ＲＲＣモード４４０をアクティブ化させることにより輻輳シナリオの間に活用される。周期的なＳＰＳモード４４０は、過渡期間の間にＳＲＢ、ＤＲＢ、制御チャネル／データチャネルなどのリソースを利用しながら、輻輳したＵＥがネットワークにアクセスするように助ける。
【００７９】
上述の状態図４００を適用することにより、次の機能が実現され得る。半永続モード４４０は、接続モード４２０と接続非アクティブモード４３０との間の周期的な遷移を管理できる。ＳＰＳモード４４０は、過渡期間の間にＳＲＢ、ＤＲＢ、制御チャネル／データチャネルなどのリソースを利用しながら輻輳したＵＥがネットワークにアクセスするように助ける。ＲＡＮ、例えばＲＡＮの基地局は、ＵＥからのバッファステータス報告で測定され得るパケットの到着に基づいてＳＰＳタイマ周期を計算できる。
【００８０】
ＳＰＳ  ＲＲＣモード４４０は、アドミッション制御からの予め定義された閾値を有するＲＲＣ接続要求失敗の回数を計算することで、ＢＳにより輻輳の間にトリガーされ得る。ＳＰＳ  ＲＲＣモードは、周期的なデータ送信のエネルギー節約目的のためにＭＴＣデバイスに対してトリガーされることもできる。図５に関連して後述するようなＲＡＮに制御されるＳＰＳモード、および図６に関連して後述するようなＵＥに制御されるＳＰＳモードは、格納されたコンテキストで再アタッチするためにネットワークへの速いアクセスを提供し得る。即ち、図５および図６に関連して後述するように、ページングおよびＲＡＣＨ手順は必要ない。ＴＡ、ＢＳＲのような格納されたＲＡＮコンテキストは、ＳＰＳタイマ周期の適合を助け得る、ＵＥからの測定報告で継続的に更新され得る。
【００８１】
図５は、ＲＡＮ３２０によりＲＲＣ  ＳＰＳモード４４０が制御される場合の本開示によるＵＥ３１０、５Ｇ  ＲＡＮ３２０および５Ｇコアネットワーク（ｃｏｒｅ  ｎｅｔｗｏｒｋ、ＣＮ）３３０の間のメッセージングを示すメッセージシーケンス図５００を示す。ＳＰＳモード４４０は、図４に関連して上述した状態図４００の状態４４０に対応する。 
【００８２】
アクティブＲＲＣ接続３１１がＵＥ３１０と５Ｇ  ＲＡＮ３２０との間に確立される場合、この接続に関連するＲＡＮコンテキスト識別３２１は５Ｇ  ＲＡＮ３２０に提供される。（図４に関連して上述したＳＰＳモード４４０に対応する）ＳＰＳモード５１０がＲＡＮ３２０により設定される場合、第１タイマ（タイマ１）５４１は、図４に関連して上述したように、ＵＥ３１０と５Ｇ  ＲＡＮ３２０との間のＲＲＣ  ＳＰＳタイマモードをアクティブ化５１１させる。次にＵＥ３１０は、図４に関連して上述された状態図４００の接続モード４２０に係る接続モード５１２になる。ＣＮ３３０とＲＡＮ３２０との間のＣＮ／ＲＡＮ接続は、図３に関連して上述したように維持３２２される。図４に関連して上述したように、第２タイマ（タイマ２）５４２は、ＳＲＢおよびＤＲＢの解放５１４、および接続モード４２０から接続非アクティブモード４３０への遷移を開始する。したがって、ＵＥは接続非アクティブモード５１５にあって、このＲＲＣ接続に関連するＲＡＮコンテキストは５Ｇ  ＲＡＮ３２０により格納５２１される。接続モード４２０から接続非アクティブモード４３０に遷移するこの過渡時間５２４の間に、リソースは５Ｇ  ＲＡＮ３２０により他の輻輳したＵＥに提供され得る。
【００８３】
第２タイマ５４２が、満了５１６する場合、ＲＲＣ接続の更なるアクティブ化のためにここに第２メッセージシーケンス５２５とも称される次のメッセージシーケンスが実行される。５Ｇ  ＲＡＮ３２０はこのＲＲＣ接続のＲＡＮコンテキスト５２２をフェッチし、ＳＲＢおよびＤＲＢの構成を有するＲＲＣ接続再開メッセージ５２３は５Ｇ  ＲＡＮ３２０からＵＥ３１０に送出され、ＵＥ３１０はＲＲＣ接続再開完了メッセージ５１７で応答する。これは、新しいアクティブＲＲＣ接続５１８が確立されたことを示す。ＵＥはＲＲＣ接続モード４２０に戻る。第２メッセージシーケンス５２５の、即ち、ＲＲＣ接続の再アタッチに対するレイテンシは、ＲＡＮコンテキストフェッチング５２２の遅延による期間に、およびＲＲＣメッセージやり取り５２３、５１７のための１．０ラウンドトリップタイム（ｒｏｕｎｄ  ｔｒｉｐ  ｔｉｍｅ、ＲＴＴ）に対応する。
【００８４】
上述のメッセージシーケンス図５００を適用することにより、ネットワークの次の機能が実現され得る。ＲＡＮ３２０は、特定の周期（タイマ１）５４１を有するＲＲＣ  ＳＰＳタイマモードでＵＥ３１０を構成する。そのためＵＥ３１０は、接続非アクティブモード４３０と接続モード４２０との間を周期的に遷移できる。ＲＡＮコンテキストはＲＡＮ３２０、例えば基地局に格納５２１されてよく、ＳＲＢおよびＤＲＢは、ＢＳがそれらのリソースを他の輻輳したＵＥに提供５２４できる間に、解放５１４されてよい。ＲＡＮ３２０はＳＰＳタイマの持続時間を制御できるため、ＲＡＮ３２０は、格納されているＲＡＮ５２１コンテキストの知識からＵＥ３２０に（ＳＲＢ、ＤＲＢの構成を有する）ＲＲＣ接続再開３２７を送出して再アタッチすることができる。基地局は、例えば、ＵＥからのバッファステータス報告（Ｂｕｆｆｅｒ  ｓｔａｔｕｓ  ｒｅｐｏｒｔ、ＢＳＲ）から測定され得る、例えばパケットの到着に基づいて、ＳＰＳタイマ周期（タイマ２）、５４２を計算してよい。ＢＳＲは、トラフィックの種類を提供し得る。ＵＥ３１０からのバッファステータス報告は、ＳＰＳタイマ５４２の周期を判定するために用いられ得る。ＲＡＮ３２０は、ＵＥ３１０からの更新されたＢＳＲ報告に基づいてＳＰＳタイマ５４２の周期を更新し得る。ＲＡＮ３２０は、セキュリティキー、ＵＥ能力情報、および遷移期間中のタイミングアドバンス等のようなコンテキスト情報を格納し得る。接続非アクティブモード４３０から接続を再開することは、静止しているまたは低速で移動する車の状況が仮定されているので、ページングおよびＲＡＣＨ手順（図３に関連して上述したように）を再始動する必要がない。ＢＳは、格納されたＲＡＮコンテキスト５２１を、ＢＳＲなどのＵＥ３１０からの測定報告、周期的な接続モード４２０の間に格納されたＲＡＮコンテキスト５２１のＵＥ３１０からのタイミングアドバンス情報で更新し、タイマ１（５４１）およびタイマ２（５４２）を適合させ得る。
【００８５】
図６は、ＵＥ３１０によりＲＲＣ  ＳＰＳモード４４０が制御される場合の本開示によるＵＥ３１０、５Ｇ  ＲＡＮ３２０および５Ｇコアネットワーク（ｃｏｒｅ  ｎｅｔｗｏｒｋ、ＣＮ）３３０の間のメッセージングを示すメッセージシーケンス図６００を示す。ＲＲＣ  ＳＰＳモード４４０は、図４に関連して上述した状態図４００の状態４４０に対応する。 
【００８６】
メッセージシーケンス図６００のメッセージは、ＲＲＣ  ＳＰＳモード４４０がＲＡＮ３２０により制御される場合に、図５に関連して上述したメッセージシーケンス図５００のメッセージに対応する。加えて、ＲＲＣ接続再開リクエストメッセージ６１９が、ＲＡＮ３２０をトリガーして第２メッセージシーケンス５２５の処理を実行するために、ＵＥにより開始される。第２メッセージシーケンス５２５にＵＥからＲＡＮへのこの追加のメッセージを追加すると、拡張された第２メッセージシーケンス６２５になる。拡張された第２メッセージシーケンス６２５は、ＲＲＣ接続再開リクエストメッセージ６１９、ＲＡＮコンテキストフェッチング５２２、ＳＲＢおよびＤＲＢの構成を有するＲＲＣ接続再開メッセージ５２３、およびＲＲＣ接続再開完了メッセージ５１７を含む。この拡張された第２メッセージシーケンス６２５のレイテンシ、即ち、ＲＲＣ接続の再アタッチのレイテンシは、ＲＡＮコンテキストフェッチング５２２の遅延、およびＲＲＣメッセージやり取り６１９、５２３、５１７の１．５ラウンドトリップタイム（ｒｏｕｎｄ  ｔｒｉｐ  ｔｉｍｅ、ＲＴＴ）による期間に相当する。即ち、拡張された第２メッセージシーケンス６２５による期間は、追加のＲＲＣ接続再開リクエストメッセージ６１９によって、図５に説明されているＲＡＮで制御されるＲＲＣ  ＳＰＳモードの第２メッセージシーケンス５２５による期間より、ラウンドトリップタイムの半分だけ長い。
【００８７】
上述したメッセージシーケンス図６００を適用することにより、ネットワークの次の機能が実現され得る。ＲＡＮ３２０、例えばＲＡＮ３２０の基地局（ｂａｓｅ  ｓｔａｔｉｏｎ、ＢＳ）が、例えばＣ-Ｖ２ｘの予め定義された閾値に対するＲＲＣ接続要求失敗を計算することにより輻輳を感知すると、ＲＲＣ  ＳＰＳモード４４０、５１０はアクティブ化され得る。ＰＣ５の場合、Ｄ２Ｄ  ＵＥからのチャネルビジー率（Ｃｈａｎｎｅｌ ｂｕｓｙ  ｒａｔｉｏ、ＣＢＲ）測定報告が、例えば後述するように、例えば、輻輳を感知するために用いられ得る。接続ユーザの最大数が実現されると、ＢＳのアドミッション制御アルゴリズム はＵＥの接続要求を拒絶する可能性がある。（レイテンシ、信頼性に関連する）特定のサービスの品質（ｑｕａｌｉｔｙ  ｏｆ  ｓｅｒｖｉｃｅ、ＱｏＳ）の目標を維持することもＶ２ｘに非常に重要である。図６に示されるように、ＵＥで制御されるＲＲＣ  ＳＰＳモードでは、ＳＰＳタイマ５４２、即ち、タイマ２の満了後に、ＵＥ３１０は接続を再開するためにＲＲＣ接続再開リクエスト６１９をＢＳに送出できる。このＲＲＣメッセージは、しかしながら、他のＵＥに割り当てられている時間／周波数リソースとの物理層における衝突をもたらす可能性がある。したがって、予め定義されたリソースブロック（ｒｅｓｏｕｒｃｅ  ｂｌｏｃｋｓ、ＲＢ）またはグラントフリーＳＣＭＡが、ＲＲＣ接続再開リクエスト６１９を送信するために必要になる可能性がある。このメッセージ６１９は、例えば緊急状況の間に必要とされると、ネットワークに速くアクセスするために用いられ得る。
【００８８】
チャネル占有レベルは、通信が行われる無線リソースにおいてエネルギーレベルを測定することにより取得され得る。ベースラインとして、チャネルビジー率（Ｃｈａｎｎｅｌ  Ｂｕｓｙ  Ｒａｔｉｏ、ＣＢＲ）と呼ばれる測定が、次の通りに定義および判定され得る。受信信号のＮｐ個のプローブは、測定間隔Ｔｍ内で均等に分散されると見なされる。（長さがＴｐの）全てのチャネルプローブについて、平均信号レベルＳが決定される。ＣＢＲは受信信号レベルの閾値Ｓｔｈに対して測定され、次のように示される。
【数１】
2020504576.tif 000013
【００８９】
代表的な実装において、上記パラメータに対する限定値は次の通りであり得る。
【数２】
2020504576.tif 000014
【００９０】
図７は、本開示によるユーザ機器（Ｕｓｅｒ Ｅｑｕｉｐｍｅｎｔ、ＵＥ）７００を示す概略図である。ＵＥは、図３から図６に関連して上述したＵＥ３１０に対応してよい。ＵＥ７００は、送受信機７０１および無線リソース制御装置（ｒａｄｉｏ  ｒｅｓｏｕｒｃｅ  ｃｏｎｔｒｏｌｌｅｒ、ＲＲＣ）７０２を含む。 
【００９１】
送受信機７０１は、ＵＥ７００と無線アクセスネットワークＲＡＮ、例えば図３から６に関連して上述した５Ｇ  ＲＡＮ３２０の間で無線リソース制御（ｒａｄｉｏ  ｒｅｓｏｕｒｃｅ  ｃｏｎｔｒｏｌ、ＲＲＣ）メッセージを送受信するように構成されている。 
【００９２】
無線リソース制御装置７０２は、ＲＡＮにより非輻輳状況が示される場合、ＲＲＣメッセージの第１シーケンス、例えば図３に関連して上述した第１シーケンス３２８の処理に応じるＵＥ７００の動作モードをアクティブ化するように構成されている。無線リソース制御装置７０２は、ＲＡＮにより特殊状況、特に輻輳状況または省電力状況が示される場合、ＲＲＣメッセージの第２シーケンス、例えば図５に関連して上述した第２シーケンス５２５または図６に関連して上述した拡張された第２シーケンス６２５の処理に応じるＵＥ７００の動作モードをアクティブ化するように構成されている。ＲＲＣメッセージの第２シーケンス５２５、６２５の処理に対するレイテンシは、ＲＲＣメッセージの第１シーケンス３２８の処理に対するレイテンシより低い。
【００９３】
ＲＲＣメッセージの第１シーケンス３２８の処理は、例えば図３に関連して上述したように、ページングメッセージング３２４、ランダムアクセス（ｒａｎｄｏｍ  ａｃｃｅｓｓ、ＲＡ）メッセージング３１５、３２５、ＲＲＣメッセージング３１６、３２７、３１７、およびＲＡＮコンテキストフェッチング３２６を含んでよい。ＲＲＣメッセージの第２シーケンス５２５、６２５の処理は、例えば図５および図６に関連して上述したように、ＲＲＣメッセージング５２３、５１７、６１９およびＲＡＮコンテキストフェッチング５２２を含んでよい。
【００９４】
無線リソース制御装置７０２は、ＵＥ７００の動作モードをアクティブ化するためのレイテンシを低減させるべく、ＲＲＣメッセージの第２シーケンス５２５、６２５を処理する場合、ページングメッセージング３２４およびＲＡメッセージング３１５、３２５を省略するように構成されてよい。
【００９５】
ＵＥ７００の動作モードは、例えば図４に関連して上述したように、ＵＥ７００をＲＡＮにアタッチすること、特にＲＲＣ接続非アクティブモード１３０、４３０からＲＲＣ接続モード１２０、４２０へのＵＥ７００の状態変化によりアクティブ化されてよい。
【００９６】
無線リソース制御装置７０２は、ＲＡＮにより輻輳状況または省電力状況が示される場合、ＲＲＣ接続モード４２０とＲＲＣ接続非アクティブモード４３０との間の周期的な遷移をアクティブ化するように構成されてよい。
【００９７】
無線リソース制御装置７０２は、ＲＡＮにより輻輳状況または省電力状況が示される場合、無線ベアラ、特に少なくとも１つの静的無線ベアラ（ｓｔａｔｉｃ  ｒａｄｉｏ  ｂｅａｒｅｒ、ＳＲＢ）および／または少なくとも１つの動的無線ベアラ（ｄｙｎａｍｉｃ  ｒａｄｉｏ  ｂｅａｒｅｒ、ＤＲＢ）を周期的にアクティブ化および解放するように構成されてよい。
【００９８】
送受信機７０１は、特にバッファステータス報告（ｂｕｆｆｅｒ  ｓｔａｔｕｓ  ｒｅｐｏｒｔ、ＢＳＲ）情報およびタイミングアドバンス情報を含む測定報告をＲＲＣ接続モード４２０においてＲＡＮに送信して、ＲＡＮが測定報告に基づいてＲＡＮコンテキスト５２１を更新することを可能にするように構成されてよい。
【００９９】
無線リソース制御装置７０２は、ステートマシン、例えば図４に関連して上述したようにステートマシン４００に基づいてＵＥ７００の動作モードを変更するように構成されてよく、このステートマシン４００は、ＲＲＣメッセージの第２シーケンスの処理５２５、６２５と関連付けられる半永続（ｓｅｍｉ-ｐｅｒｓｉｓｔｅｎｔ、ＳＰＳ）ＲＲＣモード４４０、およびＲＲＣメッセージの第１シーケンス３２８の処理と関連付けられる通常ＲＲＣモード１００を含む。
【０１００】
無線リソース制御装置７０２は、ＲＡＮにより輻輳状況または省電力状況が示される場合、ＳＰＳ  ＲＲＣモード４４０を周期的にアクティブ化させるように構成されてよい。
【０１０１】
無線リソース制御装置７０２は、例えば図４から図６に関連して上述したように、第１タイマ５４１の第１タイマ終了イベントに応答して、ＵＥ７００の動作モードをＳＰＳ  ＲＲＣモード４４０から通常ＲＲＣモード１００に変更するように構成されてよい。第１タイマ５４１は、ＲＡＮにより設定可能であってよい。
【０１０２】
無線リソース制御装置７０２は、ＵＥ７００がＳＰＳ  ＲＲＣモード４４０にある場合、ＵＥ７００の動作モードが、ＲＲＣ接続モード４２０からＲＲＣ接続非アクティブモード４３０へ変化することを周期的にアクティブ化するように構成されてよい。
【０１０３】
無線リソース制御装置７０２は、例えば図４から図６に関連して上述したように、第２タイマ５４２の第２タイマ終了イベントに応答して、ＵＥ７００の動作モードをＲＲＣ接続非アクティブモード４３０からＲＲＣ接続モード４２０に変更するように構成されてよい。
【０１０４】
無線リソース制御装置７０２は、例えば図５から図６に関連して上述したように、無線ベアラ５１４、特に少なくとも１つの静的無線ベアラ（ｓｔａｔｉｃ  ｒａｄｉｏ  ｂｅａｒｅｒ、ＳＲＢ）および／または少なくとも１つの動的無線ベアラ（ｄｙｎａｍｉｃ  ｒａｄｉｏ  ｂｅａｒｅｒ、ＤＲＢ）を、他のＵＥによる使用のために、第２タイマ５４２の作動中に解放するように構成されてよい。
【０１０５】
無線リソース制御装置７０２は、例えば図６に関連して上述したように、第２タイマ終了イベントに応答して、ＲＡＮとのＲＲＣ接続を再開するために、ＲＡＮにＲＲＣ接続再開リクエストメッセージ６１９）を送信するように構成されてよい。
【０１０６】
無線リソース制御装置７０２は、予め定義された無線リソースブロックおよび／またはグラントフリーサブキャリア多元接続（ｓｕｂｃａｒｒｉｅｒ  ｍｕｌｔｉｐｌｅ  ａｃｃｅｓｓ、ＳＣＭＡ）に基づいてＲＲＣ接続再開リクエストメッセージ６１９を送信するように構成されてよい。 
【０１０７】
図８は、本開示によるＲＡＮエンティティ８００、例えば基地局を示す概略図である。ＲＡＮエンティティ８００は、図３から図６に関連して上述した５Ｇ  ＲＡＮ３２０に対応してよい。ＲＡＮエンティティ８００は、送受信機８０１および無線リソース制御装置（ｒａｄｉｏ  ｒｅｓｏｕｒｃｅ  ｃｏｎｔｒｏｌｌｅｒ、ＲＲＣ）８０２を含む。
【０１０８】
送受信機８０１は、ユーザ機器ＵＥ、特に図７に関連して上述したような、ＵＥ７００とＲＡＮエンティティ８００と間で無線リソース制御（ｒａｄｉｏ  ｒｅｓｏｕｒｃｅ  ｃｏｎｔｒｏｌ、ＲＲＣ）メッセージを送受信するように構成されている。 
【０１０９】
無線リソース制御装置８０２は、ＲＡＮエンティティ８００の特殊状況、特に輻輳状況または省電力状況を判定するように構成されている。無線リソース制御装置８０２は、例えば図３および図７に関連して上述したように、非特殊状況、特に非輻輳状況または非省電力状況をＵＥ７００に示すように構成され、ＵＥ７００がＲＲＣメッセージの第１シーケンス３２８の処理に応じるＵＥ７００の動作モードをアクティブ化することができるようにする。無線リソース制御装置８０２は、例えば図４、図５および図７に関連して上述したように、ＵＥ７００に特殊状況、特に輻輳状況または省電力状況を示すように構成され、ＵＥ７００がＲＲＣメッセージの第２シーケンス５２５、６２５の処理に応じるＵＥ７００の動作モードをアクティブ化することができるようにする。ＲＲＣメッセージの第２シーケンス５２５、６２５の処理に対するレイテンシは、ＲＲＣメッセージの第１シーケンス３２８の処理に対するレイテンシより低い。
【０１１０】
無線リソース制御装置８０２は、例えば、図６に関連して上述したように、通信が行われる無線リソースにおけるエネルギーレベルを決定することに基づいて、特にチャネルビジー率（ｃｈａｎｎｅｌ  ｂｕｓｙ  ｒａｔｉｏ、ＣＢＲ）に基づいてＵＥ７００のサイドリンク接続に対する輻輳を判定するように構成されてよい。
【０１１１】
無線リソース制御装置８０２は、例えば図４から図７に関連して上述したように、ＵＥ７００とのＲＲＣ接続を再開３２７するために、ＵＥ７００からＲＡＮコンテキスト３２６をフェッチし、フェッチされたＲＡＮコンテキスト３２６の情報を用いるように構成されてよい。無線リソース制御装置８０２は、例えば図４から図７に関連して上述したように、ＲＡＮコンテキスト３２６により示されるリソースを他のＵＥに提供するために、ＵＥ７００からＲＡＮコンテキスト３２６をフェッチし、フェッチされたＲＡＮコンテキスト３２６の情報を用いるように構成されてよい。無線リソース制御装置８０２は、例えば図４から図７に関連して上述したように、ＵＥ７００からフェッチされたＲＡＮコンテキスト３２６の情報に基づいて、ＲＡＮにより格納されたＲＡＮコンテキスト３２３を更新するように構成されてよい。
【０１１２】
本開示は、無線アクセスネットワーク（ｒａｄｉｏ  ａｃｃｅｓｓ  ｎｅｔｗｏｒｋ、ＲＡＮ）の輻輳を緩和する方法もサポートする。方法は、次の段階を含む。ＲＡＮにより非輻輳状況が示される場合、例えば図３に関連して上述したようにＲＲＣメッセージの第１シーケンス３２８の処理に応じるＵＥの動作モードをアクティブ化する段階、および、ＲＡＮにより特殊状況、特に輻輳状況または省電力状況が示される場合、例えば図５および図６に関連して上述したようにＲＲＣメッセージの第２シーケンス５２５、６２５の処理に応じるＵＥの動作モードをアクティブ化する段階であって、ＲＲＣメッセージの第２シーケンス５２５、６２５の処理に対するレイテンシはＲＲＣメッセージの第１シーケンス３２８の処理に対するレイテンシより低いアクティブ化する段階。
【０１１３】
本開示は、コンピュータ実行可能コードまたはコンピュータ実行可能命令を含むコンピュータプログラム製品もサポートし、当該コードまたは命令は、実行されると、少なくとも１つのコンピュータに、ここで説明される実行段階および計算段階、特に上述した方法の段階を実行させる。そのようなコンピュータプログラム製品は、コンピュータによる使用のためにプログラムコードを格納する可読非一時的記憶媒体を含んでよい。プログラムコードは、ここで説明される処理段階および計算段階、特に上述した方法を実行してよい。
【０１１４】
本開示の特定の特徴または態様がいくつかの実装のうち１つのみに関連して開示されたものであってよい一方、そのような特徴または態様は、任意の所与または特定の用途に所望され有利となり得るように、他の実装の１または複数の他の特徴または態様と組み合わされてよい。更に、用語「含む」、「有する」、「伴う」、またはそれらのその他の変形が、発明を実施するための形態または請求項のいずれかにおいて用いられる範囲内で、そのような用語は、用語「備える」と同様な態様で包括的であることが意図されている。また、用語「代表的な」、「例えば（ｆｏｒ  ｅｘａｍｐｌｅ）」、および「例えば（ｅ．ｇ．）」は、最善または最適であることを意味するのではなく、単に一例であることを意味するに過ぎない。用語「結合」および「接続」は、派生語と共に用いられていてよい。これらの用語は、２つの要素が、物理的または電気的に直接接触しているかまたは互いに直接接触していないかに関わらず、互いに協働または相互作用することを示すために用いられていてよいことを理解されたい。
【０１１５】
ここに具体的態様が示されて説明されてきたが、当業者であれば、様々な代替的および／または等価的な実装が、本開示の範囲から逸脱することなく、示され説明された具体的態様の代わりとなり得ることを理解されよう。本出願は、ここに説明される具体的態様の任意の適用例または変形例を包含することを意図している。
【０１１６】
以下の特許請求の範囲の要素は、対応する符号と共に特定の順序で記載されるが、特許請求の範囲の記載が、それらの要素の一部または全てを実装するための特定の順序を示唆しない限り、それらの要素は当該特定の順序で実装されるように限定することを必ずしも意図するわけではない。
【０１１７】
上記の教示を考慮して、多くの代替例、変更例、および変形例は、当業者であれば明らかであろう。もちろん、当業者であれば、本発明の多数の用途はここに説明されたものを越えて存在することを容易に認識する。本発明は、１または複数の特定の実施形態に関連して説明されているが、当業者であれば、多くの変更が本発明の範囲から逸脱することなくなされ得ることを認識する。従って、添付の特許請求の範囲およびそれらの均等物の範囲内で、本発明は、ここに具体的に説明された以外の態様で実施され得ることを理解されたい。
【国際調査報告】
2020504576.tif 000015
2020504576.tif 000016
2020504576.tif 000017
2020504576.tif 000018